(57)【要約】      （修正有）【課題】  特に携帯電話を胸前に常に下げ保持状態とでき且つ手に持った携帯電話をその腕を延ばしきって改札装置などへの翳し操作や撮影操作を携帯電話を落下させる心配なく安全に行えることを可能とする携帯具を提供することを目的としている。【解決手段】    着脱保持部９に収納保持された携帯品５が着脱保持部９から外れるなどして落下してもその落下を途中で止め且つ携帯品５を手で持ち該着脱保持部９から外して腕を延ばしきって携帯品５を改札装置などに翳したり撮影操作を制約されることなく行ったりできる長さに伸びる樹脂製の引っ張りコイルバネからなる携帯品吊り部１２と、この携帯品吊り部１２で連結された携帯品５を携帯品保持体８や下げ部３から簡単な操作で切り離したり取り付けたりするための嵌合連結式の着脱連結手段１３とからなっている。面ファスナーが携帯電話を係止したまま剥がれてしまっても、携帯品吊り部により落下が股下あたりで止められ、地面などに激突させることが無い。【選択図】図１
2006197959.tif 000002
【特許請求の範囲】
【請求項１】
携帯電話などの携帯品を首や肩から携帯者の身体前にネックストラップなどの掛け下げ体により吊り下げた状態にし、
前記携帯品あるいは前記掛け下げ体の該携帯品に近い部位に設けたボタン部位掛け手段を、携帯者のワイシャツなどのボタンによる重ね止めた袷の間に差し込んで、該ボタンの縫い止め糸等に掛けるあるいは係止ことにより、前記携帯品を着衣に吊り掛け状態に係止したりあるいは前記掛け下げ体に吊り状態で且つ着衣に係止するようにしてなり、
前記ボタン部位掛け手段の着衣への係止と外しが容易に行なえ、且つ、該着への係止が外れたり手に持っての携帯品が手から落ちたりして落下しても、前記掛け下げ体に繋がれた該携帯品は落下途中で該掛け下げ体に吊り状態に止められるようにしてなることを特徴とする携帯品の携帯方法。
【請求項２】
携帯電話などの携帯品を首や肩から携帯者の身体前に吊り下げるためのネックストラップなどの掛け下げ体と、
この掛け下げ体の前記携帯品を下げる近くに設けれれた、携帯者のワイシャツなどのボタンによる重ね止めた袷の間に差し込む袷差込み部、この袷差し込み部に形成された前記ボタンの縫い止め糸等に掛けることができるボタン部位係止部、このボタン部位係止部の下部に形成された袷を避けるように通して前記ボタン部位係止部が前記縫い止め糸等の略真上に位置させるための袷避け部とを有するボタン部位掛け手段とからなり、
前記ボタン部位掛け手段の着衣への係止と外しが容易に行なえ、且つ、該着への係止が外れたり手に持っての携帯品が手から落ちたりして落下しても、前記掛け下げ体に繋がれた該携帯品は落下途中で該掛け下げ体に吊り状態に止められるようにしてなることを特徴とする携帯具。
【請求項３】
携帯者のワイシャツなどのボタンによる重ね止めた袷の間に差し込む袷差込み部と、
この袷差し込み部に形成された前記ボタンの縫い止め糸等に掛けることができるボタン部位係止部と、
このボタン部位係止部の下部に形成された袷を避けるように通して前記ボタン部位係止部が前記縫い止め糸等の略真上に位置させるための袷避け部と、
この袷避け部の下方に設けられあるいは形成された携帯電話などの携帯品を取付けるための携帯品取付け部とからなり、
前記ボタン部位掛け手段の着衣への係止と外しが容易に行なえるようにしてなることを特徴とするボタン部位掛け手段。
【請求項４】
請求項３記載のボタン部位掛け手段を設けてなることを特徴とする携帯電話等の携帯品。
【発明の詳細な説明】
【技術分野】
【０００１】
本発明は、特に携帯電話を首に下げて操作するのに適した携帯品の携帯方法、携帯具、ボタン部位掛け手段および携帯電話等の携帯品に関する。
【背景技術】
【０００２】
従来の携帯電話を首に下げるネックストラップには、下記特許文献１の図４、図５および図６に示されたネックストラップＡと、図１、図２および図３に開示されたネックストラップＢが知られている。
また、下記特許文献２に首掛けロープにケースを移動係留自在に設けて、該ケースにライターを収納する技術が開示されている。移動係留機構は、ケースの裏側に設けられた、起こして通されたロープのロックを解除し倒してロープをロックするロック片による、お越し倒し操作によるものである。
【特許文献１】実用新案登録第３０７５７５３号
【特許文献２】公開実用昭和６０−１３６３２４号
【０００３】
＜現在の携帯電話＞
現在、携帯電話は通話、メール作成、インターネットホームページの閲覧、録音、カメラ、テレビ、音楽プレイヤー、ラジオ、ワープロ、手書き入力、電子ブック、電子マネー、クレジットカード、定期券、事務所や自宅等へのドアキー装置の解除やドア開閉のための個人識別装置などなど多様な機能を有するようになってきている。
そこには多機能で且つ個人・友人・お客・組織の重要情報庫であり、お金であり、個人認証装置でありなどなど、紛失や破損をした場合には仕事、生活などあらゆる場面で大きな支障やトラブルを招く恐れがあるものであり、紛失したり破損したりしては絶対にならない持ち主の分身的なものとなっている。
また、自宅では身体から離して置くことが多く、置き忘れてしまうことが多いという問題もあった。
また、多くの携帯電話には「キッチンタイマー機能」が備えているが、キッチン作業の邪魔になる理由で、自宅ではテーブルなどに置いておく、ポケットなどに入れておくなどによるため、殆どその機能を有効に使用することができないものであった。
一方、携帯電話のその機能は、着信通話の素早い対応、電話番号・メール・ホームページ・ワープロ・各種設定時のキーボタン操作、カメラの撮影操作、定期券の改札装置への翳し・電子マネーメイン装置への翳し・事務所入退室認証装置への翳しなどの翳し操作、などなど、多様な操作をするものとなっている。
以上のような携帯電話の殆ど全ての多様な操作を、携帯電話の紛失の心配なく且つ安全に行うことを可能とする携帯具が必要となっているのである。
【０００４】
＜従来技術の構成およびその欠点＞
（１）特許文献１のネックストラップＡは、一本のロープで形成したループ２０の上方に移動係留体（押しボタン式ロープストッパー）２５が設けられ、ループ２０の下端にストラップ２３により携帯電話２２を吊り下げたものである。
通常の動作で携帯電話２２の振れを作業や動作などに支障がない程度とするためには、首後ろに位置させた移動係留体２５を操作して携帯電話２２を少なくとも胸元より上方（以下「胸上側」という。）に引上げて置く必要がある。
携帯電話を胸上側に上げた状態では、着信通話を素早く行えるが、キーボード操作、撮影操作、改札装置などへの翳し操作は首後ろの移動係留体２５の操作で携帯電話を引き下げて行わなければならない、いちいち首から外して行わなければならないので、素早い操作ができない、携帯電話の胸上側への引上げ引き下げ操作が大変面倒である、其の都度首に掛けたり外したりしなければならず大変面倒であり外しているときに落とす危険もあるなど、殆ど実用的でないという欠点を有している。
また、ループ２０の首下げ長さは長くても臍当たりとしか実用上できなので、腕を延ばしきって違和感無く自在に手に持った携帯電話を改札装置などに余裕のある姿勢と動作で翳す、撮影動作を腕を延ばしきって行うなど制限の無い動作で行うということができないものであった。これを解決するために、ストラップ２３をスプリング形態のものを使用すればよいのであるが、これではスプリングで下げられた携帯電話が歩行・体の振り、屈みなどの動作で激しく大きく振れ跳ねてしまい到底使用できるものではなかった。
また、腕を延ばしきって持った携帯電話を翳したり撮影操作したりするためには、携帯電話が股下（腕を延ばしきった長さ）にくるようにストラップやループの長さをしなければならず、股下に携帯電話をぶら下げて携帯することは到底使用できないものである。
また、胸上側に携帯電話を保持した状態において、携帯電話は該携帯電話の一箇所のストラップ取付部にストラップを１本紐状態で下げる形態となるので、身体の動作で携帯電話が裏返る、横揺れが大きいなど携帯性に落ち着きが無いおとなしさが無いという欠点があった。
また、ストラップ取付部が携帯電話の中央でない場合は、一本状態のストラップで吊る形態であるので、携帯電話が傾いた状態に吊られるという欠点があった。
（２）特許文献１のネックストラップＢは、ループ１にホルダ３を着脱自在に保持する移動係留体２を摩擦移動係留できるように設け、ホルダ３に紐ストラップ５が摩擦移動自在に設け、紐ストラップ５を携帯電話４のストラップ取付部に取り吊るようにした携帯電話用ネックストラップである。
ループ１の首下げ長さは長くても臍当たりとしか実用上できなので、腕を完全に延ばして手に持った携帯電話を改札装置などに余裕のある姿勢と動作で翳す、撮影動作を腕を延ばしきって行うなど制限の無い動作で行うためには、ホルダ３を移動係留体２から外して行わなければならいため、操作ミスなどで携帯電話を持った手から滑り落とし地面や床に落下させてしまう危険を有するという欠点があった。
これを解決するために、ストラップをスプリング形態のものにすればよいのであるが、これではスプリングで下げられた携帯電話が歩行・体の振り、屈みなどの動作で激しく大きく振れ跳ねてしまい到底使用できるものではなかった。
ホルダ３を移動係留体２から外して操作した場合、外したままテーブルなどに置いてそのまま忘れ置いて行ってしまうことが生じる恐れがあるものであった。
ホルダ３が移動係留体２から何かの拍子で抜けて携帯電話を地面や床に落下させてしまったり、混んでいる電車内で何ものかに抜き取られたりする恐れがあるものであった。
（３）特許文献２に開示された技術は、ケースに収納したライターなり携帯電話なりの操作は、ケースから取り出して手に持って操作するものであるが、完全にフリー状態で手に持って操作するため、誤って手に持った携帯品を滑らせるなど下地面や床に落とし落下させてしまう危険があるという欠点があった。
また、ケースから抜け落としたり、混んでいる電車内で何者かに抜き取られたりするなどして紛失させてしまう恐れがあるものであった。
ケースから外して操作した場合、外したままテーブルなどに置いてそのまま忘れ置いて行ってしまうことが生じる恐れがあるものであった。
（４）また、上述したいずれの技術も、携帯品の落下の心配なく片手のみで首に掛け装着し且つ移動係留体および携帯品の上下位置を好みの位置に自在に調節することができないあるいはロック片の起こし倒しの面倒な操作である、片手のみで移動係留体を上下移動を行えないあるいはロック片の起こし倒しの面倒な操作が必要であるなど、片手しか使用できない身障者等にとっては使用し難いものであった。
（５）また、看護士などの作業者が社内携帯電話をネックストラップで首に掛け吊るして携帯しているが、下げ部が長いために歩行時に大きく振れる、患者を抱きかかえるときに邪魔になる、胸ポケットに入れておくと屈むたびにポケットから飛び出すなど大変使用感が悪いという欠点があった。
（６）自宅においては多くの携帯者が携帯電話はテーブルなど身体から離して置いているので、出かけるときに携帯し忘れることが多々あり、携帯電話の役割を果たせないという社会問題がある。
特に物忘れがひどくなっている高齢者にはこの傾向が顕著であり、公衆電話がなくなってきている現状では、連絡手段、居場所確認手段としての携帯電話を常に安全且つ紛失や置忘れが生じないよう且つ身体動作や作業などの邪魔にならないように携帯する携帯具の出願が切望されている。
すなわち自宅においても携帯電話を身から離さずに、不自由なく携帯しておくことができる携帯具の出現が求められているのである。
（７）従来、ネックストラップ本体は吊った携帯電話を長くても臍のあたりまで吊るし置く程度の長さである。これは、腕を延ばしきった長さとなると股間あたりまでの長さとなり、到底実用できるものではなくなるからである。
その解決方法として携帯電話（１５０グラム程度）の重さでは殆ど伸びない付勢力の樹脂製引っ張りコイルバネを、ネックストラップと携帯電話の間に介在させて、携帯電話を手に持ってその腕を延ばしきって操作できるように解決方法が知られている。
しかし、樹脂製引っ張りコイルバネはその付勢力の強さから硬めにできていて、携帯電話を持ち上げて胸上などに保持した場合は、曲がることなく殆ど真直ぐな状態ないし少し湾曲する程度である。
このため携帯電話の下方に垂れた部位が樹脂製引っ張りコイルバネの両端で折れ上がる形態となり、ギクシャクした見た目の悪い元になるという欠点があった。
逆に、付勢力の緩い樹脂製引っ張りコイルバネを用い場合は、携帯電話を手に持っての操作中や、胸上への保持状態から落としてしまった場合には、緩い樹脂製引っ張りコイルバネは一気に伸びきってしまい、地上や床や側壁や前壁などに衝突させてしまう危険が大きいという欠点があった。
【発明の開示】
【発明が解決しようとする課題】
【０００５】
本発明は以上のような従来技術の欠点に鑑みてなされたものであって、その目的は、主に携帯電話を下げ首に掛けるネックストラップなど（掛け下げ体）の長さを携帯電話を手に持ってその腕を延ばしきって多様な操作を自在に行う長さにしても、携帯電話を胸前など高い位置に保持状態にしての携帯を可能としあるいは振れを抑えた保持状態での携帯電話の携帯を可能とし、且つ、携帯電話の保持中や手に持っての操作中に落下してもそれを途中で止めて地面や床への落下を防げる安全性を実現する携帯品の携帯方法、携帯具それに適したボタン部位係止手段および携帯電話等の携帯品を提供することを目的としている。
また本発明の他の目的は、片手のみしか使用できない人が特に携帯電話の首掛け外し、携帯電話の振れないように保持する操作が容易に行えるともに、前記目的と同様な目的を実現する携帯品の携帯方法、携帯具それに適したボタン部位係止手段および携帯電話等の携帯品を提供することを目的としている。
【０００６】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００７】
上記目的を達成するために本発明は次のような構成となっている。
＜請求項１記載の発明＞
携帯電話などの携帯品を首や肩から携帯者の身体前にネックストラップなどの掛け下げ体により吊り下げた状態にし、前記携帯品あるいは前記掛け下げ体の該携帯品に近い部位に設けたボタン部位掛け手段を、携帯者のワイシャツなどのボタンによる重ね止めた袷の間に差し込んで、該ボタンの縫い止め糸等に掛けるあるいは係止ことにより、前記携帯品を着衣に吊り掛け状態に係止したりあるいは前記掛け下げ体に吊り状態で且つ着衣に係止するようにしてなり、前記ボタン部位掛け手段の着衣への係止と外しが容易に行なえ、且つ、該着への係止が外れたり手に持っての携帯品が手から落ちたりして落下しても、前記掛け下げ体に繋がれた該携帯品は落下途中で該掛け下げ体に吊り状態に止められるようにしてなるこ携帯品の携帯方法を構成している。
＜請求項２記載の発明＞
携帯電話などの携帯品を首や肩から携帯者の身体前に吊り下げるためのネックストラップなどの掛け下げ体と、この掛け下げ体の前記携帯品を下げる近くに設けれれた、携帯者のワイシャツなどのボタンによる重ね止めた袷の間に差し込む袷差込み部、この袷差し込み部に形成された前記ボタンの縫い止め糸等に掛けることができるボタン部位係止部、このボタン部位係止部の下部に形成された袷を避けるように通して前記ボタン部位係止部が前記縫い止め糸等の略真上に位置させるための袷避け部とを有するボタン部位掛け手段とからなり、
前記ボタン部位掛け手段の着衣への係止と外しが容易に行なえ、且つ、該着への係止が外れたり手に持っての携帯品が手から落ちたりして落下しても、前記掛け下げ体に繋がれた該携帯品は落下途中で該掛け下げ体に吊り状態に止められるようにしてなる携帯具を構成している。
＜請求項３記載の発明＞
携帯者のワイシャツなどのボタンによる重ね止めた袷の間に差し込む袷差込み部と、この袷差し込み部に形成された前記ボタンの縫い止め糸等に掛けることができるボタン部位係止部と、このボタン部位係止部の下部に形成された袷を避けるように通して前記ボタン部位係止部が前記縫い止め糸等の略真上に位置させるための袷避け部と、この袷避け部の下方に設けられあるいは形成された携帯電話などの携帯品を取付けるための携帯品取付け部とからなり、前記ボタン部位掛け手段の着衣への係止と外しが容易に行なえるようにしてなるボタン部位掛け手段を構成している。
＜請求項４記載の発明＞
前記請求項３記載のボタン部位掛け手段を設けてなる携帯電話等の携帯品を構成している。
【発明の効果】
【０００８】
以上の説明から明らかなように、本発明にあっては次に列挙する効果が得られる。
＜請求項１記載の発明の効果＞
携帯電話などの携帯品を首や肩から携帯者の身体前にネックストラップなどの掛け下げ体により吊り下げた状態にし、前記携帯品あるいは前記掛け下げ体の該携帯品に近い部位に設けたボタン部位掛け手段を、携帯者のワイシャツなどのボタンによる重ね止めた袷の間に差し込んで、該ボタンの縫い止め糸等に掛けるあるいは係止ことにより、前記携帯品を着衣に吊り掛け状態に係止したりあるいは前記掛け下げ体に吊り状態で且つ着衣に係止するようにしてなり、前記ボタン部位掛け手段の着衣への係止と外しが容易に行なえ、且つ、該着への係止が外れたり手に持っての携帯品が手から落ちたりして落下しても、前記掛け下げ体に繋がれた該携帯品は落下途中で該掛け下げ体に吊り状態に止められるようにしてなるこ携帯品の携帯方法を構成しているので、
主に首からネックストラップにより吊り下げた携帯品を着衣のボタン部位に簡単に掛け保持あるいは係止保持することができるので、ネックストラップが長くても携帯品が大きく振り子のように振れ動くのを押さえた小さな振り状態に保持して携帯することができるともに、簡単に外して携帯品の操作が自在に行なえ、且つ、落下させても途中で落下を止めるという安全性を実現するという効果を得るものである。
また、ネックストラップを例えば腕を略延ばしきる長さ（携帯電話が股間あたりに吊り下がる長さ）にしても、胸元あたりのボタン部位に係止保持することによりネックストラップの垂れ下がり部位は持ち上げられてその下部は臍あたりに位置させることができるので、このような長さのネックストラップの快適な使用を実現るるという効果を得ることができる。
また、ネックストラップを首に掛ける、ボタン部位掛け手段をボタン部位に掛ける外す、ネックストラップを首から外す操作が片手のみで容易に行なえるという効果を得ることができる。
＜請求項２記載の発明の効果＞
携帯電話などの携帯品を首や肩から携帯者の身体前に吊り下げるためのネックストラップなどの掛け下げ体と、この掛け下げ体の前記携帯品を下げる近くに設けれれた、携帯者のワイシャツなどのボタンによる重ね止めた袷の間に差し込む袷差込み部、この袷差し込み部に形成された前記ボタンの縫い止め糸等に掛けることができるボタン部位係止部、このボタン部位係止部の下部に形成された袷を避けるように通して前記ボタン部位係止部が前記縫い止め糸等の略真上に位置させるための袷避け部とを有するボタン部位掛け手段とからなり、
前記ボタン部位掛け手段の着衣への係止と外しが容易に行なえ、且つ、該着への係止が外れたり手に持っての携帯品が手から落ちたりして落下しても、前記掛け下げ体に繋がれた該携帯品は落下途中で該掛け下げ体に吊り状態に止められるようにしてなる携帯具を構成しているので、
前記請求項１記載の発明の効果と同様な効果を得ることができる。
＜請求項３記載の発明の効果＞
携帯者のワイシャツなどのボタンによる重ね止めた袷の間に差し込む袷差込み部と、この袷差し込み部に形成された前記ボタンの縫い止め糸等に掛けることができるボタン部位係止部と、このボタン部位係止部の下部に形成された袷を避けるように通して前記ボタン部位係止部が前記縫い止め糸等の略真上に位置させるための袷避け部と、この袷避け部の下方に設けられあるいは形成された携帯電話などの携帯品を取付けるための携帯品取付け部とからなり、前記ボタン部位掛け手段の着衣への係止と外しが容易に行なえるようにしてなるボタン部位掛け手段を構成しているので、
ボタン部位掛け手段を携帯電話などに設け、これをネックストラップに携帯品を吊り下げての使用で前記請求項１記載の発明の効果と同様な効果を得ることができる。
前記請求項１記載の発明の効果と同様な効果を得ることができる。
＜請求項４記載の発明の効果＞
前記請求項３記載のボタン部位掛け手段を設けてなる携帯電話等の携帯品を構成しているので、
ネックストラップに携帯品を吊り下げての使用で前記請求項１記載の発明の効果と同様な効果を得ることができる。
【発明を実施するための最良の形態】
【０００９】
以下、図面に示す最良の形態により、本発明を詳細に説明する。
以下の本願発明者が考えた異なる形態、本願発明者が考えた異なる形態において、前述した実施の形態および本願発明者が考えた異なる形態に記載の構成には同じ符号を付してその説明を省略する。
【００１０】
＜第１の本願発明者が考えた異なる形態＞
図１ないし図３に示す最良の第１の本願発明者が考えた異なる形態において携帯具１は、携帯者の首に掛けるロープで形成されたループからなる掛け部２、この掛け部２から携帯者の前方に垂れ下げられる掛け部２を形成しているロープからなる一対の下げ部３とからなる掛け下げ体４の該下げ部３に取り付けられる携帯電話からなる携帯品５を携帯者の前方に保持するための移動係留体６、透明樹脂部材製板部材で形成された保持体本体７とからなる携帯品保持体８と、
この携帯品保持体８の前方下側に設けられた携帯品５の下方の略半部程度を収納保持し且つ簡単に着脱（取り出し収納）ができる形態のケース形態の着脱保持部９と、
保持体本体７の背部側を立ち上げた立上部１０と、
この立上部１０の上方で移動係留体６の直ぐ下方に空けられた下げ部３を背部側に通すための下げ部通し部１１と、
着脱保持部９に収納保持された携帯品５が着脱保持部９から外れるなどして落下してもその落下を途中で止め且つ携帯品５を手で持ち該着脱保持部９から外して腕を延ばしきって携帯品５を改札装置などに翳したり撮影操作を制約されることなく行ったりできる長さに伸びる樹脂製の引っ張りコイルバネからなる携帯品吊り部１２と、
この携帯品吊り部１２で連結された携帯品５を携帯品保持体８や下げ部３から簡単な操作で切り離したり取り付けたりするための嵌合連結式の着脱連結手段１３とからなっている。
面ファスナーが携帯電話を係止したまま剥がれてしまっても、携帯品吊り部により落下が股下あたりで止められ、地面などに激突させることが無い。
【００１１】
移動係留体６は下げ部３を通す固定通し孔（図示せず）を有するストッパー本体１４と、
このストッパー本体１４内に可動可能に設けられた前記固定通し孔に通された下げ部３を通す可動通し孔（図示せず）を有する可動体１５と、
この可動体１５を常に付勢状態とする圧縮コイルバネなどの付勢手段（図示せず）とからなり、
前記固定通し孔と前記可動通し孔に通された下げ部３が、可動体１５がフリーの状態では該可動体５が付勢状態となっているので、前記固定通し孔と前記可動通し孔がズレ付勢で下げ部３を挟持したロック状態とされて下げ部３上に係留状態となり、可動体１５を指で押し込むと前記固定通し孔と前記可動通し孔は重なって前記ロック状態は解除されて下げ部３上を殆ど抵抗無く移動させることができるようにしてなるものである。
移動係留体６は保持体本体７の最上部前方に固定されている。
【００１２】
着脱保持部９は透明樹脂製部材で形成しているが、皮のようなすべりが良くて且つソフトな素材がよい。これにより、収納された携帯品が振れてぶつかってもカタカタという音がしないものとすることができ、すべりが良いので出入が行い易いものとなる。透明樹脂部材を使用する場合もこのような材質のものがよい。
【００１３】
下げ部３と移動係留体６の移動操作が殆ど抵抗無く行え且つ携帯品５を下げ部３に下げる構成としたことにより、携帯品５を下げ部３に吊り下げた状態においては、携帯品５の重量により下げ部３が軽い張り状態となり、移動係留体６を片手のみで上下に移動操作させることが簡単にできる。
これにより、片手のみしか使用できない身障者が、片手のみで首に掛けたり外したり携帯電話を操作することができる装置を実現する、ユニバーサルデザインを実現してなるものである。
すなわち、携帯品５を下げ部３に下げた状態で掛け部２を片手で首に掛け、移動係留体６を操作して携帯品保持体８を好みの位置に引上げ、携帯品５を着脱保持部９に収納保持し、携帯品５の操作は着脱保持部９から携帯品５と取り出し操作し、移動係留体６を操作して携帯品保持体８を引き降ろして掛け部２のループを大きくして首から外す、という操作を実現する。
【００１４】
（発明を実施するための異なる形態）
次に、図４ないし図３０に示す異なる形態について説明する。なお、これら異なる形態の説明に当たって、前述した実施の形態と同一構成部分には同一符号を付して重複する説明を省略する。
【００１５】
＜第２の本願発明者が考えた異なる形態＞
図４に示す第２の本願発明者が考えた異なる形態において前記第１の本願発明者が考えた異なる形態と主に異なる点は、保持体本体７の前面に縦長の面ファスナーａからなる着脱保持部１８を設け、保持体本体７の下部に携帯品５の下部をわずかに入れ受け支持する受け支持部１９を設けてなる携帯品保持体２０を形成し、移動係留体６を保持体本体７の背後側に設けてなる携帯具２１を形成した点にある。
携帯品５の背部に縦幅の狭い面ファスナーｂ２２を貼り付け、この面ファスナーｂ２２を面ファスナーａからなる着脱保持部１８に軽く係合するようにして、携帯電話５を携帯品保持体２０に保持して使用する。
受け支持部１９で携帯品５は下がらないように支持されているので、面ファスナーｂ２２の係合は軽い係合状態としても、この係合状態には大きな剥離力が働くことがないので殆ど携帯品５は外れることがない。そして、この軽い係合状態は、携帯品５を着脱保持部１８から外して使用する場合、片手で移動係留体６の係留状態に影響を与えることなく簡単に外すことができるので、携帯品５の着脱操作性が行いやすいという効果を得るものである。
また、堅固な携帯品を確り握りその手の親指で板材である携帯品保持体の上側か側部側を握った手の親指で押し退けるようにして、親指を面ファスナー同士の間に割り入れ進めて行くことにより、面ファスナー同士の接合部位の接合力の弱い一部分ずつから順次引き離されて行き、携帯品の携帯品保持体からの分離が弱い力で極めて簡単・楽に行える。
【００１６】
＜第３の本願発明者が考えた異なる形態＞
図５に示す第３の本願発明者が考えた異なる形態において前記第１の本願発明者が考えた異なる形態と主に異なる点は、携帯品５のディスプレイ側２４あるいはキーボタン側２５を側部がわから支持する爪形態の着脱保持部２６を両側部に複数設け、保持体本体７の下部に携帯品５の下部を受け支持する受け支持部２７を設けてなる携帯品保持体２８を形成してなる携帯具２９を形成した点にある。
【００１７】
＜第４の本願発明者が考えた異なる形態＞
図６ないし図９に示す第４の本願発明者が考えた異なる形態において前記第１の本願発明者が考えた異なる形態と主に異なる点は、保持体本体７の前面に縦長の面ファスナーａからなる着脱保持部１８を設け、保持体本体７の下部に携帯品５の下部を支持する受け支持部２７を設けてなる携帯品保持体３２を形成してなる携帯具３３を形成した点にある。
携帯品５のキーボタン側２５の背部に面ファスナーｂ２２を設け、携帯品５を逆さに保持する。
このようにすることにより図７に示すように、着信通話は携帯品５を着脱保持部１８に保持したままディスプレイ側２４を開き、着信ＯＮボタンを押してそのまま耳に持っていて通話することができる。
また図９においては下げ部３の下端に衣類を軽く挟持するためのクリップ３６を設けて、片手のみで携帯品保持体３２の上下移動を可能とし且つ着信通話操作などの際の引っ張りで衣類を傷めず簡単にクリップ３６が外れて通話操作などが支障なくできるよぅにしている。
携帯品保持体の上側か側部側を握った手の親指で押し退けるようにして、親指を面ファスナー同士の間に割り入れ下降進めて行くことにより、面ファスナー同士の接合部位の接合力の弱い一部分ずつから順次引き離されて行き、携帯品の携帯品保持体からの分離が弱い力で極めて簡単・楽に行える。
【００１８】
＜第５の本願発明者が考えた異なる形態＞
図１０および図１１に示す第５の本願発明者が考えた異なる形態において前記第４の本願発明者が考えた異なる形態と主に異なる点は、携帯品５の半分程度の幅の板部材で保持体本体３８を形成し、立上部３９を前方に緩やかに曲がり上がる形態としてなる携帯品保持体４０を形成し、移動係留体６を保持体本体３８の背部側に設けてなる携帯具４１を形成した点にある。
図１１に示すように面ファスナーｂ２２を設けたケース４２を携帯品保持体４０に保持することにより、携帯品５には面ファスナーを設けることなく、ケース４２に収納保持して使用できる。
【００１９】
＜第６の本願発明者が考えた異なる形態＞
図１２に示す第６の本願発明者が考えた異なる形態において携帯具４４は、掛け下げ体４に移動係留自在に取り付けられた、口字形態のバンド掛け部４５を下げ設けてなる移動係留体６、バンド掛け部４５に着脱自在に掛けることができるように着脱嵌合式ボタン４６、４７を備えた掛けバンド４８、この掛けバンド４８を背部に立ち上げてなる皮製のケースからなる着脱保持部４９とで携帯品保持体５０を形成し、下げ部３の下端に着脱連結手段１３と、該１３に繋がれた携帯品吊り部１２とを設けてなっている。
着脱保持部４９の前部には名札やカードなどを付けるための名札等掛け部５１が設けられている。
着脱保持部４９を簡単に交換できるので、服の色に合わせたものに交換して使用できるなどができる。
【００２０】
＜第７の本願発明者が考えた異なる形態＞
図１３に示す第７の本願発明者が考えた異なる形態において携帯具５４は、掛け下げ体４に移動係留可能に取り付けられた移動係留体６と、該６の下部に下げられたフック形態の着脱保持部５５とからなる携帯品保持体５６と、下げ部３の下端に設けられた着脱連結手段１３と、該１３に繋がれたループワイヤ形態の携帯品吊り部５８とからなっている。
携帯品５のストラップ取付部５７に携帯品吊り部５６を取り付けて携帯品５を掛け下げ体４の下げ部３に吊り下げる。
携帯品５に設けられたフック掛け部５９を着脱保持部５５に掛けて携帯品５を逆さ吊り状態で保持し操作する。
構成部品が少なく安価なものとできる。
下げ部あるいは掛け下げ体をゴム製部材などの付勢伸縮性部材とすることにより、通常状態では短くても、携帯品５を手に持って腕を延ばしきって該５を改札装置などに翳すなどの操作を姿勢を曲げることなく行うことができる。
【００２１】
＜第８の本願発明者が考えた異なる形態＞
図１４に示す第８の本願発明者が考えた異なる形態において前記第７の本願発明者が考えた異なる形態と主に異なる点は、移動係留体６の前部に装飾部体６１を設け、この装飾体６１の下部にフックからなる着脱保持部６２を設けて携帯品保持体６３を形成してなる携帯具６４を形成した点である。
携帯品５の背部に着脱保持部６２にかける掛け部品６５を貼り付け、携帯品５を逆さ吊り状態に保持し使用する。
【００２２】
＜第９の本願発明者が考えた異なる形態＞
図１５に示す第９の本願発明者が考えた異なる形態において前記第８の本願発明者が考えた異なる形態と主に異なる点は、移動係留体６の前部にベース６８とこのベース６８の上部に突き出しフック形態の着脱保持部６９を設けてなる携帯品保持体７２を形成し、下げ部３の下端にワイヤ７０を付勢巻取りしてなるワイヤ巻取り手段からなる携帯品吊り部７１を設け、ワイヤ７０に携帯品吊り部５８を設けた着脱連結手段１３を設けてなる携帯具７３を形成した点にある。
【００２３】
＜第１０の本願発明者が考えた異なる形態＞
図１６に示す第１０の本願発明者が考えた異なる形態において前記第７の本願発明者が考えた異なる形態と主に異なる点は、移動係留体６の前部に面ファスナーａからなる着脱保持部１８を設けて移動係留体６とで携帯品保持体７６を形成し、下げ部３の下部に着脱連結手段１３を設け、着脱連結手段１３に携帯品吊り部１２を設けてなる携帯具７７を形成した点にある。
【００２４】
＜第１１の本願発明者が考えた異なる形態＞
図１７に示す第１１の本願発明者が考えた異なる形態において携帯具８０は、携帯品５の携帯者の首に掛けるループ形態の掛け部２を形成してなる掛け下げ体４と、
この掛け下げ体４に移動自在且つ係留可能に取り付けられた、掛け部２のループの大きさを変えるための移動係留体６と、
掛け下げ体４に固定部８１により固定され設けられた携帯電話などの携帯品５を携帯者の前方に保持するための板材からなる保持体本体８４、この保持体本体８４の前部に貼り付けられた携帯品５を保持し且つ簡単に着脱ができる面ファスナーａからなる着脱保持部１８、保持体本体８４の下部に設けられた受け支持部２７とからなる携帯品保持体８２と、
この着脱保持部１８に保持された携帯品５が該着脱保持部１８から外れるなどして落下してもその落下を途中で止め、且つ、携帯品５を手で持ち該着脱保持部１８から外して携帯者の胸元から下側で携帯品５を操作できる長さにできる、携帯品５と掛け下げ体４を繋ぐ合成樹脂製の引っ張りコイルバネからなる携帯品吊り部１２と、
この携帯品吊り部１２で連結された携帯品５を掛け下げ体４から簡単な操作で切り離したり取り付けたりするための開閉部付きリング形態の着脱連結手段８３とからなっている。
着脱連結手段はクリップ形態のもの着脱連結手段１３などの嵌合連結形態のものなど多様である。
また、下げ部３を設けてその先方に着脱連結手段と携帯品吊り部を設けるのも良い。
【００２５】
＜第１２の本願発明者が考えた異なる形態＞
図１８に示す第１２の本願発明者が考えた異なる形態において携帯具８６は、携帯品５の携帯者の首に掛けるループ形態の掛け部２を形成してなる掛け下げ体４と、
この掛け下げ体４に移動自在且つ係留可能に取り付けられた、掛け部２のループの大きさを変えるための移動係留体６と、
掛け下げ体４の下部に固定され下げられた携帯品５を携帯者の前方に保持するための保持体本体８７、この保持体本体８７の前部に設けられた上方から顎付き突起を差込保持する嵌込凹部からなる着脱保持部８８とからなる携帯品保持体８９と、
保持体本体８９の下部に下げ設けた、着脱保持部８８に保持された携帯品５が該８８から外れるなどして落下してもその落下を途中で止め、且つ、携帯品５を手で持ち着脱保持部８８から外して腕を延ばしきっての翳し操作などができる長さに延ばせる、携帯品５と掛け下げ体４を繋ぐ合成樹脂製の引っ張りコイルバネからなる携帯品吊り部１２と、
この携帯品吊り部１２で連結された携帯品５を携帯品吊り部１２から外したり取り付けたりするための着脱連結手段１３とからなっている。
携帯品５の背部に顎付き突起９０を取り付け、顎付き突起９０を着脱保持部８８に嵌合保持させて使用する。
引っ張りコイルバネ以外にゴム紐など伸縮性部材を使用するのもよい。
【００２６】
＜第１３の本願発明者が考えた異なる形態＞
図１９に示す第１３の本願発明者が考えた異なる形態において前記第４の本願発明者が考えた異なる形態と主に異なる点は、付勢巻取りされるワイヤ７０を有する携帯品吊り部７１を移動係留体６の前部に固定し、ワイヤ７０に着脱連結手段１３を設けてなる携帯具９３を形成した点にある。
下げ部３の下部にはクリップ３６を設けてある。
クリップ３６に変えて磁石や面ファスナーやフックやフック掛け部などの着脱自在の係止部材を設け、衣類の側にこれらの係止部材と係止される部材を設けたクリップやタイピン形態のものなどを取り付けて行うようにするのもよい。
これらの主な目的は、片手のみで移動係留体を自在に上下移動させるためのものである。
【００２７】
＜第１４の本願発明者が考えた異なる形態＞
図２０に示す第１４の本願発明者が考えた異なる形態において前記第１３の本願発明者が考えた異なる形態と主に異なる点は、移動係留体６と同じ動作形態で１つのロープ通し孔にロープ９６を通してなるロープストッパーからなり、ロープ９６を移動自在且つ付勢ロックする携帯品吊り部９７を移動係留体６の前部に固定し、、着脱連結手段１３をロープ９６に設けた構成の携帯具９８を形成した点にある。
携帯品５を着脱保持部１８から外し手を離し着脱連結手段１３の可動体１４を押してロープロック状態を解除すると携帯品５は自重で降下する。
９９は抜け防止玉。
【００２８】
＜第１５の本願発明者が考えた異なる形態＞
図２１に示す第１５の本願発明者が考えた異なる形態において前記第１の本願発明者が考えた異なる形態と主に異なる点は、携帯品吊り部１２に着脱連結手段８３を取り付けた構成とした点にある。
携帯品保持体８は被透明として着脱保持部９の前部に模様をほどこしている。
【００２９】
＜第１６の本願発明者が考えた異なる形態＞
図２２に示す第１６の本願発明者が考えた異なる形態において前記第１５の本願発明者が考えた異なる形態と主に異なる点は、携帯品吊り部１２を長めのもにして、着脱連結手段８３を掛け部２に連結し他状態で、移動係留体６を胸あたりに保持して降ろすことなく携帯品５を外して腕を延ばしきって翳し操作や撮影操作が行えるようにした点にある。
【００３０】
＜第１７の本願発明者が考えた異なる形態＞
図２３に示す第１７の本願発明者が考えた異なる形態において前記第１５の本願発明者が考えた異なる形態と主に異なる点は、携帯品吊り部１２にクリップ形態の着脱連結手段１０２を取り付けた構成とした点にある。
【００３１】
＜第１８の本願発明者が考えた異なる形態＞
図２４に示す第１８の本願発明者が考えた異なる形態において前記第４の本願発明者が考えた異なる形態と主に異なる点は、上下幅の短い板部材からなる保持体本体１０４、この保持体本体１０４の背部上方に移動係留体６を設け、その下方前側に面ファスナーａからなる着脱保持部１８を設けて携帯品保持体１０５を形成し、この携帯品保持体０５と、掛け下げ体４と、携帯品吊り部１２、５８と、着脱連結手段１３とで携帯具１０７を形成した点にある。
保持体本体１０４には折り部１０８が設けられている。
また、堅固な携帯品を確り握りその手の親指で板材である携帯品保持体の上側か側部側を握った手の親指で押し退けるようにして、親指を面ファスナー同士の間に割り入れ進めて行くことにより、面ファスナー同士の接合部位の接合力の弱い一部分ずつから順次引き離されて行き、携帯品の携帯品保持体からの分離が弱い力で極めて簡単・楽に行える。
【００３２】
＜第１９の本願発明者が考えた異なる形態＞
図２５に示す第１９の本願発明者が考えた異なる形態において前記第１８の本願発明者が考えた異なる形態と主に異なる点は、携帯品吊り部７１を取り付けた点にある。
【００３３】
＜第２０の本願発明者が考えた異なる形態＞
図２６に示す第２０の本願発明者が考えた異なる形態において前記第１５の本願発明者が考えた異なる形態と主に異なる点は、着脱連結手段８３を下げ部３の下端に設け、これに携帯品吊り部１２を潜らせ連結するようにしたものである。
【００３４】
＜第２１の本願発明者が考えた異なる形態＞
図２７に示す第２１の本願発明者が考えた異なる形態において携帯具１１１は、横幅広棒形態のストッパー本体１１２、このストッパー本体１１２の一方の端方に設けられたロープを移動自在に通すロープ通し孔１１９、このロープ通し孔に通されたロープを付勢ロックするための、ロープ通し孔１２０を有する外から指で押す可動体１１３、この可動体１１３をストッパー本体１１２の外側に押し付勢している圧縮コイルバネ１２１とからなる移動係留体１１４と、この移動係留体１１４の下部に下げられた保持体本体１１５と、この保持体本体１１５の前部に設けられた着脱保持部１８とで携帯品保持体１１６を形成している。
ロープからなる掛け下げ体１１７の一方の側を下げ部１１８とされて、この下げ部１１８を移動係留体１１４のロープ通し孔１１９、１２０に通し、掛け下げ体１１７のもう一方の側を移動係留体１１４のもう一方の端方に通し動かないように固定し、これにより掛け部２を形成し該２は下げ部１１８の移動によりその首掛けループを広げたり狭めたりする。
下げ部１１８の下端には着脱連結手段を介して携帯品５のストラップ取付部に連結されている。
ストッパー本体１１２に固定されてなる掛け下げ体１１７のもう一方の側の垂れ下げられた部位の先端にはイヤホンジャック１２２が設けられ、掛け部２にはイヤホン１２３、１２４が設けられ、イヤホン１２３、１２４とイヤホンジャック１２２は電線により接続されている。
図２７では着脱連結手段８３を用い、下げ部１１８に設けたリング１２１に掛ける形態としている。さらに携帯品吊り部１２、５８を介して携帯品５が連結されている。
下げ部１１８が十分に長い場合や、伸縮性部材殻なっている場合は、着脱連結手段を介して直接的に携帯品５が連結されるようにするのもよい。この場合、着脱連結手段が携帯品吊り部を兼ねる形態となり、このような構成も本発明の技術的範疇に含まれるものである。
着脱保持部は面ファスナーに限定されず、ケースなどでも良いことは言うまでもない。
【００３５】
＜第２２の本願発明者が考えた異なる形態＞
図２８に示す第２２の本願発明者が考えた異なる形態において前記第４の実施の本願発明者が考えた異なる形態と主に異なる点は、移動係留体６と、この移動係留体６の前部に立ち下げられた板材からなる保持体本体１２７と、この保持体本体１２７の下部に形成された浅いフック１２８、該１２８の上方側に設けられた面ファスナーａ１２９により形成された着脱保持部１３０とで携帯品保持体１３１を形成した点にある。
携帯品５の背部にはフック１２８に掛けるための掛け部品１３２を貼り付け、掛け部品１３２には面ファスナーａ１２９に係合される面ファスナーｂ１３３が設けられている。
面ファスナーａ１２９と面ファスナーｂ１３３の係合関係は、引き剥がしが容易であるように、軽い係止となるように、接合面積が小さいか、係止フックが弱い浅いものであるようになっている。
１３４は伸縮性ゴム製部材からなる携帯品吊り部である。
【００３６】
＜第２３の本願発明者が考えた異なる形態＞
図２９に示す第２３の本願発明者が考えた異なる形態において前記第２２の実施の本願発明者が考えた異なる形態と主に異なる点は、移動係留体６と、この移動係留体６の前部に設けられた深めのフックかなる着脱保持部１３６とで携帯品保持体１３７を形成した点にある。
携帯品５の低部には着脱保持部１３６に掛けるための、携帯品５から出入できる掛け部１３８が設けられている。
【００３７】
＜第２４の本願発明者が考えた異なる形態＞
図３０に示す第２４の本願発明者が考えた異なる形態において前記第１の実施の本願発明者が考えた異なる形態と主に異なる点は、ソフトバンド製部材からなる掛け部１４３に直径３ｍｍの中にゴム紐が入って伸縮性部材からなる長さ２８０ｍｍ〜３００ｍｍの一対の下げ部１４４を下げた掛け下げ体１４５を形成し、下げ部１４４の下端に着脱連結手段１３のオス型１４１を設け、携帯品５にメス型１４２を設けた構成としたもので、コレラの構成により携帯具１４６を形成している。
この場合の着脱連結手段１３は携帯品吊り部を兼ねている。
移動係留体６の下げ部通し孔は５ｍｍ程度であり可動体１５を指で押し込んでのロック解除時は抵抗少なくスムーズに移動係留体６を下げ部３上を移動させることができる。
また、携帯品５を下げ部１４４に下げた状態にして該下げ部１１４を張らせ、この状態で移動係留体６を下げ部１４４の下方を手で引くことなく、上下移動自在とすることができ、この機能により片手のみの操作で首への掛け外しから携帯品の全ての操作を落下の恐れなく行うことを可能とするユニバーサルデザインを実現しているものである。
【００３８】
＜第２５の本願発明者が考えた異なる形態＞
図３１に示す第２５の本願発明者が考えた異なる形態において前記第２４の実施の本願発明者が考えた異なる形態と主に異なる点は、保持本体７に携帯品５の側部をいれて支持する側部支持爪１４９を中程側部と底部側部を支持する底支持爪１５１を一対ずつ設けた携帯品保持体１５０を形成した点にある。
【００３９】
＜第２６の本願発明者が考えた異なる形態＞
図３２に示す第２６の本願発明者が考えた異なる形態において前記第２５の実施の本願発明者が考えた異なる形態と主に異なる点は、Ｕの字形態に形状記憶された樹脂製引っ張りコイルバネからなる携帯品吊り部１５３を設けた点にある。
【００４０】
＜第２７の本願発明者が考えた異なる形態＞
図３３に示す第２７の本願発明者が考えた異なる形態において携帯具１５５は、首掛け部１４３、この首掛け部１４３に下げた一対の下げ部３、３とからなる首掛け下げ体１５６と、
下げ部３、３に移動係留自在に取り付けられた移動係留体６と、
この移動係留体６の背部に立ち下げられた板部材からなる保持体本体７と、
この保持体本体７の低部に設けられた携帯品５の底部を合わせる携帯品合わせ部１５７と、
保持体本体７の該７前部に保持した携帯品５の上方側部に位置する部位の側部に設けられた、携帯品５を握った手の親指を当てる指当て部１５８、１５８と、
保持体本体７の前面の上部と下部に設けられた縦幅狭く横幅広い面ファスナーａからなる着脱保持部１６０、１６０と、
移動係留体６、保持体本体７、着脱保持部１６０、１６０とからなる携帯品保持体１６１と、
下げ部３の下部に設けられた着脱連結手段１３のオス型１４１と、
伸びる部分の長さ９０ｍｍで太さ３ｍｍ〜５ｍｍの、内部に伸縮ゴムを入れ外側を網布で覆った略４倍の伸び性のゴム紐からなる携帯品吊り部１６２と、
この携帯品吊り部１６２の一端に設けられた着脱連結手段１３のメス型１４２と、
携帯品吊り部１６２のもう一端に設けられた携帯品吊り部５８とからなっている。
裏側に縦幅の広い面ファスナーｂ１６３、１６３を設けた携帯品５のストラップ取付部に携帯品吊り部５８を通し、オス型１４１とメス型１４２を連結して携帯品５を下げ部３に連結し繋げる。
携帯品５の底部を携帯品合わせ部１５７に当て合わせ、着脱保持部１６０、１６０に面ファスナー１６３、１６３を押し付け接合係止する。
携帯品５の取り外しは、携帯品５を手で握りその手の親指を指当て部１５８に当て、その親指を携帯品５と保持体本体７の間（着脱保持部１６０と面ファスナーｂ１６３）間に割り込ませるように押し入れて着脱保持部１６０と面ファスナーｂ１６３の接合を剥がして行って取り外す。
携帯品５を携帯品保持体１６１に保持した状態において、携帯品吊り部１６２は滑らかなＵの字湾曲を描く。
携帯品吊り部１６２（携帯品吊り部材）は太３ｍｍが付勢力が弱く且つ携帯電話が下がっても、その重量による伸びはわずかであり、携帯電話を握っての腕を延ばしきっての（携帯品吊り部１６２は伸びる）操作が違和感少なくて使用感がよい。
具体的には、携帯品吊り部１６２は、携帯品を取り付け吊り下げた状態において、携帯品５が１５０グラム程度の吊り下がり重量でもその伸縮伸びが略３センチ以内であり、携帯品５を手に持っての伸び長さが１５センチ以上であり、携帯品を上げた状態での垂れ下がり携帯がスムーズなＵの字湾曲形態を形成する部材からなるものであるのがよい。
【００４１】
＜第２８の本願発明者が考えた異なる形態＞
図３４に示す第２８の本願発明者が考えた異なる形態において携帯具１６５は、首掛け部１４３、この首掛け部１４３に下げた一対の下げ部３、３とからなる首掛け下げ体１５６と、
下げ部３、３に移動係留自在に取り付けられた移動係留体６と、
この移動係留体６の背部に立ち下げられた板部材からなる保持体本体７と、
この保持体本体７の該７前部に保持した携帯品５の側部から上部位置する部位に、保持した携帯品５の外側に広がるように設けられた、携帯品５を握った手の親指を当てる指当て部１６６と、
保持体本体７の前面に設けられた面ファスナーａからなる着脱保持部１６７と、
移動係留体６、保持体本体７、着脱保持部１６７とからなる携帯品保持体１６８と、
下げ部３の下部に設けられた、  伸びる部分の長さ９０ｍｍで太さ３ｍｍの、内部に伸縮ゴムを入れ外側を網布で覆った略４倍の伸び性のゴム紐からなる携帯品吊り部１６２と、
この携帯品吊り部１６２の下端に設けられた着脱連結手段１３のメス型１４２と、
着脱連結手段１３のオス型１４１を設けた携帯品吊り部５８とからなっている。
裏側に縦幅の広い面ファスナーｂ１６９を設けた携帯品５のストラップ取付部に携帯品吊り部５８を通し、オス型１４１とメス型１４２を連結して携帯品５を下げ部３に連結し繋げる。
着脱保持部１６７に面ファスナーｂ１６９を押し付け接合係止する。
携帯品５の取り外しは、携帯品５を手で握りその手の親指を指当て部１６６に当て、その親指を携帯品５と保持体本体７の間（着脱保持部１６７と面ファスナーｂ１６９）間に割り込ませるように押し入れて着脱保持部１６７と面ファスナーｂ１６９の接合を剥がして行って取り外す。
指当て部を幅広の形態とし且つ上方にも広げた形態としたので、親指をどこからでも当てることができ当てた際に親指が縁に当たることなく、剥がし外し操作ができるので縁で指を傷つけることがなく、使用者の剥がし操作がし易いところから、親指を当て剥がし外し操作が行える。
指当て部を左右に設け、左手での握りと右手での握りのいずれにも対応できるようにするのが良い。
【００４２】
＜第２９の本願発明者が考えた異なる形態＞
図３５に示す第２９の本願発明者が考えた異なる形態において前記第２８の本願発明者が考えた異なる形態と主に異なる点は、移動係留体１７８を横長の１つの紐通し孔１７４をストッパー本体１７５に設け横長の１つの紐通し孔１７６を可動体１７７に設けてなる形態のものとし、
移動係留体１７８と一体成形により形成してなる下げ部通し部１１を有する保持体本体１７９を設け、
この保持体本体１７９に上下に２箇所に面着脱保持部１６７、１６７を設け、移動係留体１７８とで携帯品保持体１７１を形成している。
保持体本体１７９、面着脱保持部１６７、１６７、
移動係留体１７８の紐通し孔１７４、１７６に着衣との滑り抵抗の少ない薄い平紐１８０を重ねて通し、ループ形態の首掛け部１８１と、下げ部１８２を形成してなる掛け下げ体１８３を形成し、
掛け下げ体１８３の下部には着脱連結手段１３のオス型１４１が設けられ、
着脱連結手段１３のメス型には二本のゴム紐１８４、１８５からなる掛け下げ体１８３から外した場合にハンドストラップとして機能する伸縮ストラップ部１７３が設けられ、
ゴム紐１８４、１８５の合わせ下端には携帯品吊り部５８が設けられ、
携帯品吊り部５８には面ファスナー１６９を裏側に貼り付けた携帯品５を吊り下げるようになる携帯具１７２を形成した点にある。
また、着脱保持部１６７、１６７のカバー１８６を下げている。
【００４３】
＜第３０の本願発明者が考えた異なる形態＞
図３６に示す第３０の本願発明者が考えた異なる形態において前記第２９の本願発明者が考えた異なる形態と主に異なる点は、保持体本体１７９の下部を下方に延長したボタン部位係止部１８８を設けて、該１８８に着衣のボタンを入り込ませるボタン嵌込部１８９を設けてなる携帯品保持体１９０を形成した点にある。
着衣のボタンをボタン嵌込部１８９に嵌め係止することにより、携帯品保持体１９０に保持した携帯品５の前左右への振れを極めて小さいものに抑制できる。
【００４４】
＜第３１の本願発明者が考えた異なる形態＞
図３７に示す第３１の本願発明者が考えた異なる形態において前記第３０の本願発明者が考えた異なる形態と主に異なる点は、ゴム紐１８４にオス型１４１を設け、ゴム紐１８５にメス型１４２を設け、下げ部３の下端にオス型１４１、メス型１４２を設けた点にある。
一方の着脱連結手段１３が外れたり、一方のゴム紐が切れても、一方が繋がっているので落下の危険を少なくでき、安全性を向上させることができる。
また、ゴム紐側のオス型１４１、メス型１４２を連結することにより、ループ形態のハンドストラップを形成することができる。
【００４５】
＜第３２の本願発明者が考えた異なる形態＞
図３８に示す第３２の本願発明者が考えた異なる形態において前記第３０の本願発明者が考えた異なる形態と主に異なる点は、掛け部２に着衣の衿を挟持して該衿から下げ部３および携帯品５の荷重を受けるクリップ３８０、３８１を設け、保持体本体１７９の下部に一体形成により設けた、折目により折畳ができるカバー１９４を設け、該１９４に面ファスナー１６９を設けてなる携帯品保持体１９１を形成した点にある。
カバー１９０で面ファスナー１６７、１６７を覆うことができ、着衣がセーターなどである場合、面ファスナーが引っ掛かるのを防止することができる。
下げ部３は細い紐（糸）で形成され、これにより着衣のボタンの留め糸に該３を１、２回巻いてその部位に携帯品保持体１９１を降ろし止めることにより、保持した携帯品５の前方と横振れ範囲を小さいものにできる。
【００４６】
＜第３３の本願発明者が考えた異なる形態＞
図３９に示す第３３の本願発明者が考えた異なる形態において前記第３０の本願発明者が考えた異なる形態と主に異なる点は、図中（ａ）において下げ部３の長さを一般的な大人の腕を延ばしたよい長さ（携帯品を股間程度に垂れ下げる程度）とし、着脱連結手段１３さらに設けさらに携帯品吊り部５８で携帯品５を吊るようにしてなるものである。
図中（ｂ）において、ネックストラップ２００に下げられたデジタルカメラ、オーディオプレイヤー、他の携帯電話などの携帯品２０１であり、該２０１には面ファスナーｂ１６９が設けられている。
図中（ｃ）（携帯者は省略）において、首掛け下げ体１５６を首に掛けて携帯品５は携帯者の着衣の胸ポッケット２０２（着衣の下ポケットもよい）に入れ、ネックストラップ２００を首に掛け携帯品２０１を掛け下げ体１８３に保持している。このよう使い方をすることにより、二台の携帯電話などの携帯品を整理した状態で首に下げ携帯することができる。
【００４７】
＜第３４の本願発明者が考えた異なる形態＞
図４０に示す第３４の本願発明者が考えた異なる形態において前記第３３の本願発明者が考えた異なる形態と主に異なる点は、携帯品５の他の吊り形態を３形態で示したものである。
（ａ）携帯品吊り部５８により直接吊っている。
（ｂ）着脱連結手段８３を携帯品吊り部５８に取り付け、該５８を下げ部３に該３を通し連結している。
（ｃ）下げ部３にフック付勢開閉形態の着脱連結手段１９３を設け、該１９３に携帯品吊り部５８を掛け下げている。
【００４８】
＜第３５の本願発明者が考えた異なる形態＞
図４１に示す第３５の本願発明者が考えた異なる形態において前記第３０の本願発明者が考えた異なる形態と主に異なる点は、移動係留体６の表側にフック側面ファスナー（硬く着衣などを引っ掛ける側）からなる着脱保持部１９５を設けた点にある。
（ａ）携帯品５を吊り下げた状態。
（ｂ）携帯品５を着脱保持部１６７、１６８に保持させた状態。
（ｃ）携帯品を５を着脱保持部１９５に横向きに保持させて状態。首元に動かないように保持できるので、看護士等が患者を持ち上げたりする作業のとき径庭品５が邪魔にならなくて便利である。
（ｄ）首掛け紐１９８に吊るした名札１９６の裏側にループ側の面ファスナーｂ１９７を設け、名札１９６を着脱保持部１９５の保持させた状態。
下げ部３は細紐が左右２本２本となっていて、より安全性を高めている。
伸縮ストラップ１７３側で携帯品５の近い下方の部位にロープ１８７が固定あるいは移動自在に設けられ、ロープ１８７には着衣の袷などを挟持するクリップ１９２が設けられている。
携帯品５を携帯品保持体１６８に保持して、クリップ１９２で伸縮ストラップ１７３や携帯品吊り部５８を袷に止めることにより、携帯品５の下方が振れないようにすることができ、携帯品５の胸元下から臍あたりの下方に携帯品５の下げを振れなく保持した携帯を実現することができる。
クリップ１９２の挟持は、弱く引っ掛かりが無いものがよく、このようにすることにより、携帯品５を取り外して操作する際にクリップ１９２が引っ張られると袷から簡単に外れる程度のものである。
当然にクリップ１９２の挟持力や形態を挟持した袷から外れ難いものとするのもよい。
【００４９】
＜第３６の本願発明者が考えた異なる形態＞
図４２に示す第３６の本願発明者が考えた異なる形態において前記第３５の本願発明者が考えた異なる形態と主に異なる点は、携帯品５の表側に面ファスナーａ２０３（フック側）を設け、面ファスナーｂ２０４（ループ側）を表裏にそれぞれ設けた名札２０５を紐２０６でかけ首掛け下げ体１５６側に着脱自在に下げ、携帯品保持体１６８に携帯品５を保持させた状態で名札２０５を面ファスナー同士により、くっ付けて留める。
（ａ）名札２０５を吊り下げた状態。
（ｂ）名札２０５を表向きにして携帯品５にくっ付け留めた状態。
（ｃ）名札２０５を表向きにして携帯品５にくっ付け留めた状態。
「名札」には名札そのもの、名札を入れるケースも含まれるものである。
【００５０】
＜第３７の本願発明者が考えた異なる形態＞
図４３に示す第３７の本願発明者が考えた異なる形態において前記第３５の本願発明者が考えた異なる形態と主に異なる点は、保持体本体７の下部を少し下方に延長し、この延長部位に面ファスナーａ２０３を設け、面ファスナーｂ２０４（ループ側）を表裏にそれぞれ設けた名札２０５を紐２０６でかけ首掛け下げ体１５６側に着脱自在に下げ、携帯品保持体１６８に名札２０５を面ファスナー同士によりくっ付けて留める。
（ａ）名札２０５を吊り下げた状態。
（ｂ）保持体本体７の面ファスナーａ２０３に名札２０５を表向きで留めた状態。
（ｃ）保持体本体７の面ファスナーａ２０３に名札２０５を裏向きで留めた状態。
（ｄ）携帯品５を外し取り、着脱保持部１９５に名札２０５を表向きで留めた状態。
【００５１】
＜第３８の本願発明者が考えた異なる形態＞
図４４に示す第３８の本願発明者が考えた異なる形態におい２０８は携帯具であって、この携帯具２０８は一本の平紐でけいせいされる、首に掛ける首掛け部２０９、該２０９から下がる下げ部２１０とからなる首掛け下げ体２１１と、下げ部２１０の下端に下げられた名札２１２と、この名札２１２の表下側に設けられた面ファスナーａ２０４と、名札２１２の裏上側に設けられた面ファスナーａ２０４と、下げ部２１０に上下移動自在且つ摩擦抵抗により名札２１２を下げた程度では下がらない係留状態とる移動係留体２１３と、この移動係留体２１２の表面に設けられた着脱保持部１６７とからなっている。
（ａ）名札２１２を吊り下げた状態正面図。
（ｂ）名札２１２を吊り下げた状態側面図。
（ｃ）名札２１２を移動係留体２１３に表向きに保持した状態。
（ｄ）名札２１２を移動係留体２１３に裏向きに保持した状態。
移動係留体２１３を上下移動させてその係留部位を自在に変更して好みの高さに、名札を止めることができる。
【００５２】
＜第３９の本願発明者が考えた異なる形態＞
図４５および図４６に示す第３９の本願発明者が考えた異なる形態におい２１５は携帯具であって、携帯具２１５は一本の送信ケーブル２２０から形成された首掛け下げ体２１６と、
この首掛け下げ体２１６を通し該２１６に移動可能に設けられてループ形態の首掛け部２１７を形成する移動係留体１７８、１７８（紐通し孔は円など多様な形態があるし、通すロープも多様な丸太、平紐など多様なものがある）と、
この移動係留体１７８、１７８を保持体本体１７９に固定してなる携帯品保持体１７１と、
送信ケーブル２２０の一方の端に設けられたイヤホン２１８と、
このイヤホン２１８から少し離れて送信ケーブル２２０に設けられたストッパー２２１と、
送信ケーブル２２０の他方の端に設けられたプラグ２１９と、
携帯品５に取り付けられた携帯品吊り部５８と、
この携帯品吊り部５８に設けられた着脱連結手段（ここでは移動止め手段として機能）８３とからなっていて、
この着脱連結手段８３にイヤホン２１８側の下げ部３を通し掛けることによって、携帯品５を携帯品保持体１７１に保持したままイヤホン２１８を引上げ耳に装着等して通話などが行え（図４６）、携帯品５を携帯品保持体１７１から外して腕を延ばしての携帯品５の操作が自在に行え、携帯品５が携帯品保持体１７１から外れて落下したり、手に持って操作中に落下させたりしても、ストッパー２２１に着脱連結手段８３が止められ、落下する携帯品５はイヤホン２１８側の下げ部３に吊り状態で落下が止められる。
移動係留体１７８、１７８はそれぞれ別操作で通された下げ部３のロック、ロック解除を操作することができる。携帯品保持体１７１の上下操作はイヤホン側の移動係留体１７８により行う。
着脱連結手段８３を単なるリング（移動止め手段）とするのもよいし、イヤホンを移動と目手段とするのもよい。
【００５３】
＜第４０の本願発明者が考えた異なる形態＞
図４７に示す第４０の本願発明者が考えた異なる形態において２２２は携帯品保持体であって、この携帯品保持体２２２は移動係留体２２３と、保持体本体１７９と、着脱保持部１６７、１６７とからなっている。
この移動係留体２２３は楕円形態（横に幅広の形態であれば長方形などでもよい）の外筐体である固定体２２４と、この固定体２２４内に圧縮コイルバネなどの押し付勢手段（図示せず）に押し出し付勢された楕円形態の可動体２２５と、固定体２２４に空けられた平紐１８０や細紐を上部から下部に通すための左右上下のそれぞれに設けられた固定側紐通し孔２２６、２２６、２２６、２２６と、可動体２２５に空けられた固定側紐通し孔２２６に通される平紐１８０や細紐を上部から下部に通すための左右上下のそれぞれに設けられた可動側紐通し孔２２７、２２７と、固定体２２４の固定側紐通し孔２２６、２２６の間の側壁部位に空けられた抜け防止突起入り孔２２８と、可動側紐通し孔２２７、２２７の間の側壁部位に設けられた抜け防止突起入り孔２２８に入って固定体２２４に嵌められた可動体２２５が抜けないようにする抜け防止突起２２９とからなっている。
保持体本体１７９は固定体２２４と一体成形により立ち下げられる(立ち上げるのもよい)ように設けられている。保持体本体１７９は可動体２２５と一体成形により設けてなるものもよい。また、接着や溶着、融着になどにより設けるのもよい。
【００５４】
＜第４１の本願発明者が考えた異なる形態＞
図４８に示す第４１の本願発明者が考えた異なる形態において前記第４０の本願発明者が考えた異なる形態と主に異なる点は、移動係留体１７８、１７８を保持体本体１７９の上部に横並びに設け、その可動体１７７、１７７に跨る連結板２３１を該１７７、１７７に固定してなる移動係留体２３２を設けた携帯品保持体２３３を形成した点にある。
【００５５】
＜第４２の本願発明者が考えた異なる形態＞
図４９に示す第４２の本願発明者が考えた異なる形態において前記第４０の本願発明者が考えた異なる形態と主に異なる点は、移動係留体を横幅広の固定体２３５、可動体２３６からなる移動係留体２３７とし、固定体２３５の下部から該２３５と一体成形により形成した保持体本体２３８を立ち下げ、固定側紐通し孔２２６などの紐通し孔を保持体本体２３８の後方に側にして、平紐１８０が保持体本体２３８の裏側に真直ぐに垂れ下がるようにしてなる携帯品保持体２３９を形成した点にある。
【００５６】
＜第４３の本願発明者が考えた異なる形態＞
図５０に示す第４３の本願発明者が考えた異なる形態において前記第４２の本願発明者が考えた異なる形態と主に異なる点は、保持体本体の形態を固定体２３５の背部から立ち下げ形態とするともに、上方左右を内側に凹ませて平紐１８０を避けるためのくびれ部２４１を形成し、下部に裏側に廻っている平紐１８９の下げ部３を通し前方に出す紐通し部２４２、２４２、２４５を設けてなる保持体体２４３とした携帯品保持体２４４を形成した点にある。
保持体本体２４３の下部側で平紐１８９の下げ部３の離れ幅を固定しているので、これより下方で平紐同士が絡み難い形態を実現している。
紐通し部２４５は左右の平紐１８０、１８０をまとめて通すもので、平紐１８０をまとめて着衣にクリップで係止するなどのときに使用する．
【００５７】
＜第４４の本願発明者が考えた異なる形態＞
図５１に示す第４４の本願発明者が考えた異なる形態において前記第４２の本願発明者が考えた異なる形態と主に異なる点は、保持体本体２３８の下部中央に細紐（糸部材を含む）からなるボタン部位係止手段２４６を設けた点にある。
ボタン部位係止手段２４６を着衣のボタンに１、２回巻き付けることにより携帯品保持体２３９の下方の揺れと前振れを抑え小さいものにでき、当然該２３９に保持した携帯品５の振れを小さいものにできるともに、これにより胸元下方に携帯品５を振れ少なく留め置くことができるという効果を得ることができる。
ボタン部位係止手段には糸上部材、ゴム輪的なものでその収縮付勢力でボタンを挟持するもの、保持体本体に一体成形により設けられたボタンの縫い止め糸等を通してボタン部位を係止する形態のものなど多様な形態や部材があり、これらを全部含むものである。
【００５８】
＜第４５の本願発明者が考えた異なる形態＞
図５２に示す第４５の本願発明者が考えた異なる形態において前記第４１の本願発明者が考えた異なる形態と主に異なる点は、保持体本体１７９を可動体１７７側に設け、連結板２３１に着脱保持部１６７を設けてなる携帯品保持体２４７を形成した点にある。
着脱保持部１６７に留め置く携帯品５を収納保持するケースからなる着脱保持部２４８の形態を示している。
上部開口の着脱保持部２４８は、防水性の外皮２４９を腰の弱い布製部材などで形成し、その内側にケースの箱形態を形成する厚紙や樹脂製部材などからなる内枠体２５０を設け、外側背部には面ファスナーｂ１６９が設けられ、正面外には面ファスナーａ２０３が設けられ、外皮２４９の背部は上方に延長されて開口部を覆う覆い部２５１を設け、この覆い部２５１の内外にはそれぞれ面ファスナーｂ１６７が設けられている。
通常の使用では覆い部２５１は移動係留体２３２に面ファスナーの係合により開き状態にし、水作業や雨の場合などは面ファスナー２０３に係合させて開口部を覆い状態にして携帯品に水が掛からないようにする。
覆い部２５１を名札にするのもよい。この場合、覆い部に直接設ける、名札を入れる名札ケースを設けるなど多様な形態があり、部材も型崩れしないものや、型崩れを防止する枠材などを設ける。
着脱保持部２４８の面ファスナーａ２０３に名札を装着するなどもできる。
【００５９】
＜第４６の本願発明者が考えた異なる形態＞
図５３に示す第４６の本願発明者が考えた異なる形態において前記第４２の本願発明者が考えた異なる形態と主に異なる点は、移動係留体を横幅広の円筒形態の固定体２５２、該２５２に横から挿し込まれてなる可動体２５３らなる移動係留体２５４とした携帯品保持体２５８を形成した点にある。
固定体２５２には開口円形の固定側紐通し孔２５５、２５５が、可動体２５３には可動側紐通し孔２５６、２５６が設けられている。圧縮コイルバネ２５７。
【００６０】
＜第４７の本願発明者が考えた異なる形態＞
図５４に示す第４７の本願発明者が考えた異なる形態において前記第４６の本願発明者が考えた異なる形態と主に異なる点は、移動係留体を横幅広の円筒形態の固定体２５２、該２５２の左右からそれぞれ挿し込まれてなる可動体２５９ａ、２５９ｂとからなる移動係留体２６０とした点にある。
【００６１】
＜第４８の本願発明者が考えた異なる形態＞
図５５に示す第４８の本願発明者が考えた異なる形態において前記第３９の本願発明者が考えた異なる形態と主に異なる点は、移動係留体を移動係留体２２３形態（紐通し孔は円型）（携帯品保持体２２２）にし、下げ部３の左右のケーブルから引き紐２６２を引き、該２６２に摘み部材２６３を設けてなる携帯具２６４を形成した点にある。
携帯品保持体２２２の上下移動操作は、一方の手で摘み部材２６３を摘み引いて、もう一方の手で移動係留体２２３を摘み押して移動操作する。
【００６２】
＜第４９の本願発明者が考えた異なる形態＞
図５６に示す第４９の本願発明者が考えた異なる形態において２７０は携帯具であって、この携帯具２７０はループからなる首掛け部２７１と、この首掛け部２７１から携帯者の身体前に垂れ下がる下げ部３と、下げ部３と首掛け部２７１とからなる一本ないし一連の紐体である掛け下げ体２７５と、下げ部３の下方に設けられた携帯品を吊るためのあるいは携帯品を吊ってなる携帯品吊り部２７６と、この携帯品吊り部２７６あるいは携帯品側に設けられた下げ部３を挟持するための下げ部挟持手段２７３とからなっている。
より具体的には、下げ部３の携帯品吊り下げ部２７６に名札入れからなる携帯品２７２が設けられ、この携帯品２７２の背部には長めのクリップからなる下げ部挟持手段２７３が設けられた構成となっている。
下げ部挟持手段２７３で下げ部３の２本を挟持して該３上の好みの高さ位置に携帯品２７２を留め置くことができる。
このような形態としても、携帯品を好みの高さ位置に係留して携帯し、外して自在に携帯品を操作することができ、手から落とすなどしても地面等に落下させることの無い携帯具を実現する。
（ａ）吊り下げ状態正面図。
（ｂ）吊り下げ状態側面図
（ｃ）下げ部の高い部位に係留した状態正面図。
（Ｄ）下げ部の高い部位に係留した状態側面図。
【００６３】
＜第５０の本願発明者が考えた異なる形態＞
図５７に示す第５０の本願発明者が考えた異なる形態において携帯具２７６はつぎのような構成となっている。
携帯者の首や肩などに掛ける掛け部１４３、この掛け部１４３から下げられる紐、ロープ、ワイヤ、細棒状部材などやこれらの組合せからなる、携帯品５を胸元より高い部位に保持させての携帯を可能とする第１の下げ部２７７および携帯品５の腕を延ばしきっての操作を可能とする長さの携帯品５を携帯品吊り部２７６、２７６で吊っている第２の下げ部２７８とからなる掛け下げ体２７９と、
第１の下げ部２７７に設けられた携帯品５を該２７７の下部より上方に保持するための携帯品保持体２５８と、
この携帯品保持体２５８の保持体本体２３８に設けられた携帯品５を着脱自在に保持するための着脱保持部１６７、１６７と、
第２の下げ部２７８の下部からなるあるいは該２７８に設けられた吊り下げ部材などの携帯品を吊り状態に保持するための携帯品吊り部５８と、
携帯品吊り部５８に設けられ着衣の袷を挟持するためのクリップ３６と、
下げ部２７８と携帯品吊り部５８を連結している着脱自在の着脱連結手段５８と、
第１の下げ部２７７、２７７の幅を平行に保つバー２８０と、
このバー２８０に下げられたクリップ３６ａとからなっている。
また、掛け部１４３には移動係留体１４７が該１４３を通して設けられ、好みの部位に移動させてロック留めることができる。これにより、移動係留体１４７を掛ける首の後に位置させる形態で、掛け下げ体２７９の長さを自在に調節することができ、携帯者の身体の大きさや好みに合わせた垂れ下げにして使用できる。
（ａ）携帯品５の垂れ下げた状態。
（ｂ）携帯品５を携帯品保持体２３８へ保持した状態。
携帯品５を携帯品保持体２３８へ保持した状態でクリップ３６を着衣の袷を挟持して係止することにより、携帯品５の下方側の振れを抑えた携帯を実現する。
携帯品５を携帯品保持体２３８から外して操作しても、携帯品保持体２３８は動かなくクリップ３６を外さなくとも携帯品５を自在に操作することができる。
クリップ３６ａを着衣に止めることにより、片手のみでも携帯品保持体２３８の上下移動係留を自在に行うことができ、頭を余裕を持って潜らせるループに片手のみで調節できるので、片手のみで首に掛ける首から外す操作が行えるともに、携帯品保持体２３８の振れを抑制することができる。
【００６４】
＜第５１の本願発明者が考えた異なる形態＞
図５８に示す第５１の本願発明者が考えた異なる形態において携帯具２８２はつぎのような構成となっている。
携帯者の首や肩などに掛ける掛け部１４３、この掛け部１４３から下げられる紐、ロープ、ワイヤ、細棒状部材などやこれらの組合せからなる下げ部２７７とからなる掛け下げ体２７９と、
下げ部２７７に設けた携帯品５を保持するための携帯品保持体１６８と、
この携帯品保持体１６８に設けられた携帯品５着脱自在に保持するための面ファスナーａからなる着脱保持部１６７、１６７と、
保持体本体７の背部に設けた着衣の袷に止めるクリップ２８４とからなり、
面ファスナーｂ１６９を設けた携帯品５を一本のロープ紐でループを形成した携帯具２００で首から下げ、該携帯品５を着脱保持部１６７に取り付けたり取り外したりできるようにしてなっている。
携帯具２８２、ネックストラップ２００とで携帯具２８３を構成している。
【００６５】
＜第５２の本願発明者が考えた異なる形態＞
図５９に示す第５２の本願発明者が考えた異なる形態において携帯具２８６はつぎのような構成となっている。
携帯者の首や肩などに掛ける掛け部２７１、この掛け部２７１から下げられた携帯品２７２を胸元より高い部位に保持させての携帯を可能とする第１の下げ部２７７および携帯品２７２を吊り下げた第２の下げ部２７８とからなる掛け下げ体２８６と、
第１の下げ部２７７に設けられた携帯品２７２を該２７７の下部より上方に保持するための、保持体本体である移動係留体６、この移動係留体６の正面に設けられた携帯品２７２を着脱自在に保持する着脱保持部であるクリップ３６とからなる携帯品保持体２８７と、
第1の下げ部２７８の下端をまとめる用に設けられた摘み部材２６３と、
第２の下げ部２７８の下端に携帯品吊り部２７６、２７６により取り付けられた携帯品２７２とから構成されている。
【００６６】
＜第５３の本願発明者が考えた異なる形態＞
図６０に示す第５３の本願発明者が考えた異なる形態において前記第５１の本願発明者が考えた異なる形態と主に異なる点は、携帯品保持体を携帯品保持体１９０とした携帯具２８９を形成した点にある。
携帯品５を吊るネックストラップ２００の半分には送信ケーブル２９０が設けられ、該２９０の下方にはプラグ２１９が上方にはイヤホン２１８が設けられている。
ネックストラップ２００と携帯具２８９とで携帯具２９１を形成する。
【００６７】
＜第５４の本願発明者が考えた異なる形態＞
図６１に示す第５４の本願発明者が考えた異なる形態において２９３は携帯具であって、この携帯具２９３は下げ部３、３にストッパー球からなるクリップ滑り止め２９４を適宜な間隔で設け、携帯品吊り部５８に強い挟持力で長い形態のクリップ２９５を設けてなる携帯具２９６を形成している。
クリップ２９５を下げ部３上の好みの位置に止めることにより、携帯品５を好みの高さ位置に吊り携帯することができ、クリップ滑り止め２９４でクリップ２９５は滑り下降したり外れたりすることが止められて、安定した携帯品の下げ部上への吊り保持を実現する。
クリップ２９５は携帯品５に取り付けたフリーの紐部材に設けてなるものでもよい。
【００６８】
＜第５５の本願発明者が考えた異なる形態＞
図６２に示す第５５の本願発明者が考えた異なる形態において前記第５１の本願発明者が考えた異なる形態と主に異なる点は、携帯品保持体を複数の携帯品の着脱保持を可能とした長さの保持体本体２９７とし、該２９７に着脱保持部１６７、１６７からなる上着脱保持部２９８と着脱保持部１６７、１６７からなる下着脱保持部２９９を設けてなる携帯品保持体３００としてなる携帯具３０１を形成した点にある。
その使用例を図６２で示している。
携帯品５を下げたネックストラップ２００と、音楽プレイヤーやデジタルカメラなどの他の携帯品３０２を下げたネックストラップ３０３と、携帯具３０１を首に掛け下げ、上着脱保持部２９８に携帯品５を止め保持し、下着脱保持部２９９に他の携帯品３０２を止め保持している。
保持体本体２９７の上着脱保持部２９８と下着脱保持部２９９
間には着衣のボタンを通して該ボタンの縫い止め糸等のみが入って、ボタンの引っ掛かりによる携帯品保持体２９７の着衣への係止を行うための着衣係止部２９６が設けられている。
【００６９】
＜第５６の本願発明者が考えた異なる形態＞
図６３に示す第５６の本願発明者が考えた異なる形態において前記第５１の本願発明者が考えた異なる形態と主に異なる点は、下げ部２７７上に携帯品保持体１６８と該１６８と同一形態の携帯品保持体１６８ａを設けてなる携帯具３０５を形成した点にある。
携帯品保持体１６８、１６８ａの留め位置を携帯品の形態などに合わせた調節ができる。
【００７０】
＜第５７の本願発明者が考えた異なる形態＞
図６４に示す第５７の本願発明者が考えた異なる形態において３０７は携帯具であって、この携帯具３０７は、
掛け下げ体２７９と、
下げ部２７７に移動係留可能に取り付けられた、保持体本体を兼ねた移動係留体６、該６の表面に設けられた着脱保持部１６７、該６の背部に設けられた面ファスナーｂ１６９とからなる携帯品保持体３０８と、
薄板長方形の着衣保持体本体３１０、該３１０の中央に下方を開放させて縦長の設けられた着衣のボタンの縫い止め糸等を入れて着衣保持体本体３１０をボタンにより着衣上に留め置くためのボタン係止部３１１と、着衣保持体本体３１０の表側に設けられた面ファスナーａ２０３とからなる着衣保持体３１２とからなっている。
着衣保持体はこれ自体が発明であり、その権利範囲は「ワイシャツなどの着衣のボタンに着脱自在に留められる着衣保持体本体と、この着衣保持体本体を前記ボタンに着脱自在に係止するためのボタン係止部と、前記着脱保持体本体に設けられた携帯電話などの携帯品を係留保持するための面ファスナーや磁石やケースなどからなる着脱保持部とからなることを特徴とする着衣保持体。」
【００７１】
＜第５８の本願発明者が考えた異なる形態＞
図６５に示す第５８の本願発明者が考えた異なる形態において前記弟４８の本願発明者が考えた異なる形態と主に異なる点は、保持体本体１７９の下端を後方に突出した部位を形成してそこに平紐１８０を通す紐通し孔３１４、３１４を設けた点にある。
【００７２】
＜第５９の本願発明者が考えた異なる形態＞
図６６に示す第５９の本願発明者が考えた異なる形態において３１６は携帯具であって、
携帯具３１６は、
ワイヤを発条により付勢巻取りするワイヤ付勢巻取り手段である移動係留体３１７ａ、３１７ｂと、
この移動係留体３１７ａ、３１７ｂに巻かれたワイヤ３１８ａ、３１８ｂにより形成された下げ部３１９と、
この下げ部３１９に繋がれてループに形成されてなる首掛け部１４３と、
首掛け部１４３、下げ部３１９とで形成された掛け下げ体３２０と、
移動係留体３１７ａ、３１７ｂに固定され下げられた板部材からなる保持体本体３２１と、
この保持体本体３２１の表面に設けられた着脱保持部１６７、１６７と、
保持体本体３２１、移動係留体３１７ａ、３１７ｂとからなる携帯品保持体３２２と、
保持体本体３２１の下部に設けられた着衣のボタンの縫い糸を通して係止するためのボタン係止部３２３と、
この係止部３２３からボタンが外れないようにするためのゴム紐３２４と、ボタンを係止部３２３に着脱する際に引っ張り伸ばすための摘み部材３２５とからなっている。
摘み部材３２５は着衣のボタンに掛け通して係止し、携帯品保持体３２２および該３２２に保持された携帯品５の下振れを小さく抑え全体としても振れを小さくし、且つ、携帯品５が廻らないようにできる。
移動係留体３１７ａ、３１７ｂの表には巻取り付勢力を解除するための解除ボタン３２６がそれぞれ設けられ、この解除ボタン３２６、３２６は一枚のブッシュ板３２７で連結され、解除ボタン３２６が付勢力により押し出され開放されている状態ではロック状態となって、ワイヤの巻き込みも引出しもできないロックされた状態となり、プッシュ板３２７を押して解除ボタン３２６を押し込むとロックは解除されて、付携帯品保持体３２２を上げると勢力によりワイヤは自動的に巻き取られ、携帯品保持体３２２を下げるとワイヤは引っ張り出される。
これにより、携帯品保持体３２２を好みの高さ位置に自在に係留することができる。
【００７３】
＜第６０の本願発明者が考えた異なる形態＞
図６７に示す第６０の本願発明者が考えた異なる形態において３３０は携帯品保持体であってこの携帯品保持体３３０は、
２通の固定側紐通し孔２２６を有する上下幅が広い固定体本体３３１と、
この固定体本体３３１の前方下側に付勢力により外側に押し出し付勢されてなる、可動体側紐通し孔２２７を有する可動体２３６と、
この可動体２３６と固定体本体３３１とからなる移動係留体３３２と、
固定体３３１の下部の固定体側紐通し孔２２６の背部側に立ち下げられた、ボタン嵌込部１８９を有するボタン部位係止部１８８と、
可動体２３６に設けられた着脱保持部１６７とからなっている。
【００７４】
＜第６１の本願発明者が考えた異なる形態＞
図６８に示す第６１の本願発明者が考えた異なる形態において３３６は携帯品保持体であってこの携帯品保持体３３６は、
移動係留体６と、
この移動係留体６を構成するストッパー本体（固定体）１４から立ち上げられた立ち上げ部３３７と、
この立ち上げ部３３７の上方と下方（ストッパー本体１４側）に設けられた着脱保持部１６７とからなっている。
【００７５】
＜第６２の本願発明者が考えた異なる形態＞
図６９に示す第６２の本願発明者が考えた異なる形態において３４０は携帯品保持体であってこの携帯品保持体３４０は、
移動係留体６と、
この移動係留体６を構成するストッパー本体（固定体）１４から該１４と一体成形により形成立ち下げられた保持体本体３４１と、
保持体本体３４１の移動係留体６の直ぐ下に開けられた下げ部通し孔１１と、
保持体本体３４１の下げ部通し孔１１の下方に適宜な間隔を空けて設けられた着脱保持部１６７，１６７と、
保持体本体３４１の着脱保持部１６７下方に形成された、着衣の袷間を横通して該３４１の下方を袷の内側に侵入させるための袷避け部３４２と、
保持体本体３４１の袷避け部３４２の下方に形成された袷差し込み部３４３と、
この袷差し込み部３４３に形成されて着衣のボタンの裏側で該ボタンの縫い止め糸等を通し嵌めるボタン部位係止部３４４とからなっている。
前記第３０の本願発明者が考えた異なる形態のものと同様な効果を得るともに、着衣の袷間に袷差し込み部３４３を侵入させて着衣の上袷と下袷を繋いでいるボタンの縫い止め糸等にボタン部位係止部３４４を係止させるものであるので、係止がし易いものである。
また、着衣の上からボタンをボタン部位係止部３４４を嵌め係止することもできる。
携帯品保持体３４０と掛け下げ体４とで携帯具を形成している。
（ａ）携帯品保持体の正面図。
（ｂ）袷差込み部を着衣の袷間に差込みボタン部位係止部をボタン部位に係止した状態図。
（ｃ）携帯品を着脱保持部に保持した状態図（携帯品の下げ部での吊り状態は省略）。
【００７６】
＜第６３の本願発明者が考えた異なる形態＞
図７０に示す第６３の本願発明者が考えた異なる形態において前記第６２の本願発明者が考えた異なる形態と主に異なる点は、ボタン部位係止部の形態を嵌め込み形態ではない横掛かり形態からなるボタン部位係止部３４６とした携帯品保持体３４７を形成した点にある。
より着衣への取付け取り外しが容易である。
ボタン部位係止部３４６は図のように止め縫糸部位が抜け作用時に少し引っ掛かり抵抗をするように凸凹に形成されるのもよいし、直線的でもよいし、下部側側のみに引っ掛かる湾曲や凸部などを設けるなど多様な形態が考えられる。
携帯品保持体３４７と掛け下げ体４とで携帯具を形成している。
（ａ）携帯品保持体の正面図。
（ｂ）袷差込み部を着衣の袷間に差込みボタン部位係止部をボタン部位に係止した状態図。
（ｃ）携帯品を着脱保持部に保持した状態図（携帯品の下げ部での吊り状態は省略）。
【００７７】
＜第６４の本願発明者が考えた異なる形態＞
図７１に示す第６４の本願発明者が考えた異なる形態において前記第６２の本願発明者が考えた異なる形態と主に異なる点は、ボタン部位係止部の形態を嵌め込み形態ではないフック掛け形態からなるボタン部位係止部３４９とした携帯品保持体３５０を形成した点にある。
携帯品保持体３５０と掛け下げ体４とで携帯具を形成している。
（ａ）携帯品保持体の正面図。
（ｂ）袷差込み部を着衣の袷間に差込みボタン部位係止部をボタン部位に係止した状態図。
（ｃ）携帯品を着脱保持部に保持した状態図（携帯品の下げ部での吊り状態は省略）。
【００７８】
＜本発明の第１の実施の形態＞
図７２に示す本発明を実施するための第１の実施の形態において３５２は携帯品保持体（ボタン部位掛け手段）であってこの携帯品保持体（ボタン部位掛け手段）３５２は、
上方の着衣の袷間に差し込まれる袷差し込み部３５３と、
この袷差し込み部３５３に形成された下部開口で縦長の切り抜き形態からなる着衣ボタンの縫い止め糸等を通すボタン部位係止部３５４と、
このボタン部位係止部３５４の下部に形成された袷を避けるように通して該３５４の開口をボタン縫い止め糸等の略真上に位置させるための袷避け部３５５と、
この袷避け部３５５の下部に設けられた移動係留体６と、
この移動係留体６の下部に設けられた保持体本体３５６と、
この保持体本体３５６に設けられた着脱保持部（携帯品取付け部）１６７，１６７とからなっている。
袷差し込み部３５３を着衣の上に置いてボタン部位係止部３５４に縫い止め糸を通して直接ボタンに係止することもできる。
携帯品保持体３５２と掛け下げ体４とで携帯具を形成している。
（ａ）携帯品保持体の正面図。
（ｂ）袷差込み部を着衣の袷間に差込みボタン部位係止部をボタン部位に係止した状態図。
（ｃ）携帯品を着脱保持部に保持した状態図（携帯品の下げ部での吊り状態は省略）。
【００７９】
＜本発明の第２の実施の形態＞
図７３に示す本発明を実施するための第２の実施の形態において３５８はボタン部位係止手段であってこのボタン部位掛け手段３５８は、
携帯者のワイシャツなどのボタンによる重ね止めた袷の間に差し込む袷差込み部３５９と、
この袷差し込み部３５９に形成されたボタンの縫い止め糸に掛けることができるボタン部位係止部３６０と、
このボタン部位係止部３６０の下部に形成された袷を避けるように通してボタン部位係止部３６０が縫い止め糸等の略真上に位置させるための袷避け部３６１と、
この袷避け部３６１の下方に設けられあるいは形成された携帯電話などの携帯品５を取付けるための携帯品取付け部３６２とからなり、
ボタン部位掛け手段３５８の着衣への係止と外しが容易に行なえるようにしてなるものである。
携帯品５にボタン部位掛け手段３５８を取付けた携帯品も形成している。
【００８０】
＜本発明の第３の実施の形態＞
図７４に示す本発明を実施するための第３の実施の形態において３６５はこの携帯具３６５は、
携帯電話などの携帯品５を首に下げるための掛け下げ体４と、
この掛け下げ体４の携帯品５を下げる近くに設けれれた、ボタン部位掛け手段３５８と略同一構造のボタン部位掛け手段３６６とからなっている。
【産業上の利用可能性】
【００８１】
本発明はネックストラップを製造する産業や携帯電話を提供する産業で利用される。
【図面の簡単な説明】
【００８２】
【図１】第１の本願発明者が考えた異なる形態の携帯品保持体の正面図および側面図。
【図２】第１の本願発明者が考えた異なる形態の携帯品取り付け状態を示す背面図および側面図。
【図３】第１の本願発明者が考えた異なる形態の操作図。
【図４】第２の本願発明者が考えた異なる形態の携帯品保持体の正面図および携帯品を取り付けた状態の側面図。
【図５】第３の本願発明者が考えた異なる形態の携帯品保持体の正面図および携帯品を取り付けた状態の側面図。
【図６】第４の本願発明者が考えた異なる形態の携帯品保持体の正面図および携帯品を取り付けた状態の側面図。
【図７】第４の本願発明者が考えた異なる形態の操作図。
【図８】第４の本願発明者が考えた異なる形態の操作図。
【図９】第４の本願発明者が考えた異なる形態の携帯状態図。
【図１０】第５の本願発明者が考えた異なる形態の携帯品保持体の正面図および携帯品を取り付けた状態の側面図。
【図１１】第５の本願発明者が考えた異なる形態の携帯品保持体の正面図および携帯品を取り付けた状態の側面図。
【図１２】第６の本願発明者が考えた異なる形態の携帯品保持体の正面図およびケース型の着脱保持部を取り付けた状態の側面図。
【図１３】第７の本願発明者が考えた異なる形態の携帯品を外し下げた状態と携帯品を保持した状態の側面図。
【図１４】第８の本願発明者が考えた異なる形態の携帯品を外し下げた状態と携帯品を保持した状態の側面図。
【図１５】第９の本願発明者が考えた異なる形態の携帯品を外し下げた状態と携帯品を保持した状態の側面図。
【図１６】第１０の本願発明者が考えた異なる形態の携帯品を外し下げた状態と携帯品を保持した状態の側面図。
【図１７】第１１の本願発明者が考えた異なる形態の使用状態図。
【図１８】第１２の本願発明者が考えた異なる形態の携帯品を外し下げた状態と携帯品を保持した状態の側面図。
【図１９】第１３の本願発明者が考えた異なる形態の携帯品保持体の正面図、携帯品を取り付けた側面図および携帯品を外した側面図。
【図２０】第１４の本願発明者が考えた異なる形態の携帯品保持体の正面図、携帯品を取り付けた側面図および携帯品を外した側面図。
【図２１】第１５の本願発明者が考えた異なる形態の携帯品を保持した正面図。
【図２２】第１６の本願発明者が考えた異なる形態の携帯品を保持した正面図。
【図２３】第１７の本願発明者が考えた異なる形態の携帯品を保持した正面図。
【図２４】第１８の本願発明者が考えた異なる形態の携帯品保持体の正面図、携帯品を取り付けた側面図および使用状態例図。
【図２５】第１９の本願発明者が考えた異なる形態の携帯品を保持した側面図および携帯品を外した側面図。
【図２６】第２０の本願発明者が考えた異なる形態の携帯品を保持した正面図。
【図２７】第２１の本願発明者が考えた異なる形態の正面図および携帯品を保持した側面図。
【図２８】第２２の本願発明者が考えた異なる形態の携帯品を保持した側面図面図および携帯品を外した側面図。
【図２９】第２３の本願発明者が考えた異なる形態の携帯品を保持した側面図面図および携帯品を外した側面図。
【図３０】第２４の本願発明者が考えた異なる形態の正面図および携帯品を保持した側面図。
【図３１】第２５の本願発明者が考えた異なる形態の携帯品を外し吊り下げた正面図、携帯品を保持した正面図および携帯品を保持した側面図。
【図３２】第２６の本願発明者が考えた異なる形態の携帯品を保持した正面図。
【図３３】第２７の本願発明者が考えた異なる形態の携帯品を分離した正面図、携帯品を保持した正面図および携帯品を保持した側面図。
【図３４】第２８の本願発明者が考えた異なる形態の携帯品を分離した正面図、携帯品を保持した正面図および携帯品を保持した側面図。
【図３５】第２９の本願発明者が考えた異なる形態の携帯具の正面図および携帯品保持体の平面図。
【図３６】第３０の本願発明者が考えた異なる形態の携帯具の正面図。
【図３７】第３１の本願発明者が考えた異なる形態の携帯具の正面図。
【図３８】第３２の本願発明者が考えた異なる形態の携帯具の正面図。
【図３９】第３３の本願発明者が考えた異なる形態の携帯具の正面図。
【図４０】第３４の本願発明者が考えた異なる形態の携帯具の携帯品の複数の落下防止形態による吊り形態を示す正面図。
【図４１】第３５の本願発明者が考えた異なる形態の使用状態正面図。
【図４２】第３６の本願発明者が考えた異なる形態の使用状態正面図。
【図４３】第３７の本願発明者が考えた異なる形態の使用状態正面図。
【図４４】第３８の本願発明者が考えた異なる形態の携帯具の正面図。
【図４５】第３９の本願発明者が考えた異なる形態の携帯具の正面図。
【図４６】第３９の本願発明者が考えた異なる形態の携帯具の使用状態図。
【図４７】第４０の本願発明者が考えた異なる形態の正面図、右側面図、平面図。
【図４８】第４１の本願発明者が考えた異なる形態の正面図、右側面図、平面図。
【図４９】第４２の本願発明者が考えた異なる形態の正面図、右側面図、平面図。
【図５０】第４３の本願発明者が考えた異なる形態の正面図、右側面図、平面図。
【図５１】第４４の本願発明者が考えた異なる形態の使用状態を示す側面図および正面図。
【図５２】第４５の本願発明者が考えた異なる形態の着脱保持部の平面図、取り付け状態側面図。
【図５３】第４６の本願発明者が考えた異なる形態の正面図。
【図５４】第４７の本願発明者が考えた異なる形態の正面図。
【図５５】第４８の本願発明者が考えた異なる形態の正面図。
【図５６】第４９の本願発明者が考えた異なる形態の使用説明図。
【図５７】第５０の本願発明者が考えた異なる形態の使用説明図。
【図５８】第５１の本願発明者が考えた異なる形態の使用説明図。
【図５９】第５２の本願発明者が考えた異なる形態の使用説明図。
【図６０】第５３の本願発明者が考えた異なる形態の使用説明図。
【図６１】第５４の本願発明者が考えた異なる形態の使用説明図。
【図６２】第５５の本願発明者が考えた異なる形態の使用説明図。
【図６３】第５６の本願発明者が考えた異なる形態の正面図。
【図６４】第５７の本願発明者が考えた異なる形態の使用状態側図、着衣保持体の正面図。
【図６５】第５８の本願発明者が考えた異なる形態の正面図、側面図、底面図。
【図６６】第５９の本願発明者が考えた異なる形態の正面図、使用状態側面図。
【図６７】第６０の本願発明者が考えた異なる形態の携帯品保持状態側面図。
【図６８】第６１の本願発明者が考えた異なる形態の携帯品保持状態側面図。
【図６９】第６２の本願発明者が考えた異なる形態の使用状態図。
【図７０】第６３の本願発明者が考えた異なる形態の使用状態図。
【図７１】第６４の本願発明者が考えた異なる形態の使用状態図。
【図７２】本発明の第１実施の形態の使用状態図。
【図７３】本発明の第２実施の形態の使用状態図。
【図７４】本発明の第３実施の形態の使用状態図。
【符号の説明】
【００８３】
１：携帯具、
２：掛け部、
３：下げ部、
４：掛け下げ体、
５：携帯品、
６：移動係留体、
７：保持体本体、
８：携帯品保持体、
９：着脱保持部、
１０：立上部、
１１：下げ部通し部、
１２：携帯品吊り部、
１３：着脱連結手段、
１４：ストッパー本体、
１５：可動体、
１８：着脱保持部、
１９：受け支持部、
２０：携帯品保持体、
２１：携帯具、
２２：面ファスナーｂ、
２４：ディスプレイ側、
２５：キーボタン側、
２６：着脱保持部、
２７：受け支持部、
２８：携帯品保持体、
２９：携帯具、
３２：携帯品保持体、
３３：携帯具、
３６、３６ａ：クリップ、
３８：保持体本体、
３９：立上部、
４０：携帯品保持体、
４１：携帯具、
４２：ケース、
４４：携帯具、
４５：バンド掛け部、
４６：着脱嵌合式ボタン、
４７：着脱嵌合式ボタン、
４８：掛けバンド、
４９：着脱保持部、
５０：携帯品保持体、
５１：名札等掛け部、
５４：携帯具、
５５：着脱保持部、
５６：携帯品保持体、
５７：ストラップ取付部、
５８：携帯品吊り部、
５９：フック掛け部、
６１：装飾部体、
６２：着脱保持部、
６３：携帯品保持体、
６４：携帯具、
６５：掛け部品、
６８：ベース、
６９：着脱保持部、
７０：ワイヤ、
７１：携帯品吊り部、
７２：携帯品保持体、
７３：携帯具、
７６：携帯品保持体、
７７：携帯具、
８０：携帯具、
８１：固定部、
８２：携帯品保持体、
８３：着脱連結手段、
８４：保持体本体、
８６：携帯具、
８７：保持体本体、
８８：着脱保持部、
８９：携帯品保持体、
９０：顎付き突起、
９３：携帯具、
９６：ロープ、
９７：携帯品吊り部、
９８：携帯具、
９９：抜け防止玉、
１０２：着脱連結手段、
１０４：保持体本体、
１０５：携帯品保持体、
１０７：携帯具、
１０８：折り部、
１１１：携帯具、
１１２：ストッパー本体、
１１３：可動体、
１１４：移動係留体、
１１５：保持体本体、
１１６：携帯品保持体、
１１７：掛け下げ体、
１１８：下げ部、
１１９：ロープ通し孔、
１２０：ロープ通し孔、
１２１：圧縮コイルバネ、
１２２：イヤホンジャック、
１２３：イヤホン、
１２４：イヤホン、
１２７：保持体本体、
１２８：フック、
１２９：面ファスナーａ、
１３０：着脱保持部、
１３１：携帯品保持体、
１３２：掛け部品、
１３３：面ファスナーｂ、
１３４：携帯品吊り部、
１３６：着脱保持部、
１３７：携帯品保持体、
１３８：掛け部、
１４１：オス型、
１４２：メス型、
１４３：掛け部、
１４４：下げ部、
１４５：掛け下げ体、
１４６：携帯具、
１４９：側部支持爪、
１５０：携帯品保持体、
１５１：底支持爪、
１５３：携帯品吊り部、
１５５：携帯具、
１５６：首掛け下げ体、
１５７：携帯品合わせ部、
１５８：指当て部、
１６０：着脱保持部、
１６１：携帯品保持体、
１６２：携帯品吊り部、
１６３：面ファスナーｂ、
１６５：携帯具、
１６６：指当て部、
１６７：着脱保持部、
１６８：携帯品保持体、
１６９：面ファスナーｂ、
１７１：携帯品保持体、
１７２：携帯具、
１７３：伸縮ストラップ部、
１７４：紐通し孔、
１７５：ストッパー本体（固定体）、
１７６：紐通し孔、
１７７：可動体、
１７８：移動係留体、
１７９：保持体本体、
１８０：平紐、
１８１：首掛け部、
１８２：下げ部、
１８３：掛け下げ体、
１８４：ゴム紐、
１８５：ゴム紐、
１８６：カバー、
１８７：ワイヤ、
１８８：ボタン部位係止部、
１８９：ボタン嵌込部、
１９０：携帯品保持体、
１９１：携帯品保持体、
１９２：クリップ、
１９３：着脱連結手段、
１９４：カバー、
１９５：着脱保持部、
１９６：名札、
１９７：面ファスナーｂ、
１９８：首掛け紐、
２００：ネックストラップ、
２０１：携帯品、
２０２：胸ポケット、
２０３：面ファスナーａ、
２０４：面ファスナーｂ、
２０５：名札、
２０６：紐、
２０８：携帯具、
２０９：首掛け部、
２１０：下げ部、
２１１：首掛け下げ体、
２１２：名札、
２１３：移動係留体、
２１５：携帯具、
２１６：首掛け下げ体、
２１７：首掛け部、
２１８：イヤホン、
２１９：プラグ、
２２０：送信ケーブル、
２２１：ストッパー、
２２２：携帯品保持体、
２２３：移動係留体、
２２４：固定体、
２２５：可動体、
２２６：固定側紐通し孔、
２２７：可動側紐通し孔、
２２８：抜け防止突起入り孔、
２２９：抜け防止突起、
２３１：連結板、
２３２：移動係留体、
２３３：携帯品保持体、
２３５：固定体、
２３６：可動体、
２３７：移動係留体、
２３８：保持体本体、
２３９：携帯品保持体、
２４１：くびれ部、
２４２：紐通し部、
２４３：保持体本体、
２４４：携帯品保持体、
２４５：紐通し部
２４６：ボタン部位係止手段、
２４８：着脱保持部部、
２４９：外皮、
２５０：内枠体、
２５１：覆い部、
２５２：固定体、
２５３：可動体、
２５４：移動係留体、
２５５：固定側紐通し孔、
２５６：可動側紐通し孔、
２５７：圧縮コイルバネ、
２５９ａ、２５９ｂ：可動体、
２６０：移動係留体、
２６２：引き紐、
２６３：摘み部材、
２６４：携帯具、
２７０：携帯具、
２７１：首掛け部、
２７２：携帯品、
２７３：下げ部挟持手段、
２７４：名札、
２７６：携帯品吊り部、
２７７：第１の下げ部、
２７８：第２の下げ部、
２７９：掛け下げ体、
２８０：バー、
２８２：携帯具、
２８３：携帯具、
２８４：クリップ、
２８６：掛け下げ体、
２８７：携帯品保持体、
２８９：携帯具、
２９０：送信ケーブル、
２９１：携帯具、
２９３：携帯具、
２９４：クリップ滑り止め、
２９５：クリップ、
２９６：着衣係止部、
２９７：保持体本体、
２９８：上着脱保持部、
２９９：下着脱保持部、
３００：携帯品保持体、
３０１：携帯具、
３０２：他の携帯品、
３０３：ネックストラップ、
３０５：携帯具、
３０７：携帯具、
３０８：携帯品保持体、
３１０：着衣保持体本体、
３１１：ボタン係止部、
３１２：着衣保持体、
３１４：紐通し孔、
３１６：携帯具、
３１７ａ、３１７ｂ：移動係留体、
３１８ａ、３１８ｂ：ワイヤ、
３１９：下げ部、
３２０：掛け下げ体、
３２１：保持体本体、
３２２：携帯品保持体、
３２３：ボタン係止部、
３２４：ゴム紐、
３２５：摘み部材、
３２６：解除ボタン、
３２７：プッシュ板、
３３０：携帯品保持体、
３３１：固定体本体、
３３２：移動係留体、
３３６：携帯品保持体、
３３７：立ち上げ部、
３４０：携帯品保持体、
３４１：保持体本体、
３４２：袷避け部、
３４３：袷差し込み部、
３４４：ボタン部位係止部、
３４６：ボタン部位係止部、
３４７：携帯品保持体、
３４９：ボタン部位係止部、
３５０：携帯品保持体、
３５２：携帯品保持体、
３５３：袷差し込み部、
３５４：ボタン部位係止部、
３５５：袷避け部、
３５６：保持体本体、
３５８：ボタン部位掛け手段、
３５９：袷差し込み部、
３６０：ボタン部位係止部、
３６１：袷避け部、
３６２：携帯品取付け部、
３６５：携帯具、
３６６：ボタン部位掛け手段、
３８０：クリップ、
３８１：クリップ。
【図３８】
2006197959.tif 000003
【図７３】
2006197959.tif 000004
【図７４】
2006197959.tif 000005
【図１】
2006197959.tif 000006
【図２】
2006197959.tif 000007
【図３】
2006197959.tif 000008
【図４】
2006197959.tif 000009
【図５】
2006197959.tif 000010
【図６】
2006197959.tif 000011
【図７】
2006197959.tif 000012
【図８】
2006197959.tif 000013
【図９】
2006197959.tif 000014
【図１０】
2006197959.tif 000015
【図１１】
2006197959.tif 000016
【図１２】
2006197959.tif 000017
【図１３】
2006197959.tif 000018
【図１４】
2006197959.tif 000019
【図１５】
2006197959.tif 000020
【図１６】
2006197959.tif 000021
【図１７】
2006197959.tif 000022
【図１８】
2006197959.tif 000023
【図１９】
2006197959.tif 000024
【図２０】
2006197959.tif 000025
【図２１】
2006197959.tif 000026
【図２２】
2006197959.tif 000027
【図２３】
2006197959.tif 000028
【図２４】
2006197959.tif 000029
【図２５】
2006197959.tif 000030
【図２６】
2006197959.tif 000031
【図２７】
2006197959.tif 000032
【図２８】
2006197959.tif 000033
【図２９】
2006197959.tif 000034
【図３０】
2006197959.tif 000035
【図３１】
2006197959.tif 000036
【図３２】
2006197959.tif 000037
【図３３】
2006197959.tif 000038
【図３４】
2006197959.tif 000039
【図３５】
2006197959.tif 000040
【図３６】
2006197959.tif 000041
【図３７】
2006197959.tif 000042
【図３９】
2006197959.tif 000043
【図４０】
2006197959.tif 000044
【図４１】
2006197959.tif 000045
【図４２】
2006197959.tif 000046
【図４３】
2006197959.tif 000047
【図４４】
2006197959.tif 000048
【図４５】
2006197959.tif 000049
【図４６】
2006197959.tif 000050
【図４７】
2006197959.tif 000051
【図４８】
2006197959.tif 000052
【図４９】
2006197959.tif 000053
【図５０】
2006197959.tif 000054
【図５１】
2006197959.tif 000055
【図５２】
2006197959.tif 000056
【図５３】
2006197959.tif 000057
【図５４】
2006197959.tif 000058
【図５５】
2006197959.tif 000059
【図５６】
2006197959.tif 000060
【図５７】
2006197959.tif 000061
【図５８】
2006197959.tif 000062
【図５９】
2006197959.tif 000063
【図６０】
2006197959.tif 000064
【図６１】
2006197959.tif 000065
【図６２】
2006197959.tif 000066
【図６３】
2006197959.tif 000067
【図６４】
2006197959.tif 000068
【図６５】
2006197959.tif 000069
【図６６】
2006197959.tif 000070
【図６７】
2006197959.tif 000071
【図６８】
2006197959.tif 000072
【図６９】
2006197959.tif 000073
【図７０】
2006197959.tif 000074
【図７１】
2006197959.tif 000075
【図７２】
2006197959.tif 000076